(57)【要約】【課題】  例えば、倍率色収差の二次スペクトルの低減に有利なズームレンズの提供を目的とする。【解決手段】  物体側から像側へ順に、正の屈折力の第１レンズ群と、変倍のために移動する負の屈折力の第２レンズ群と、変倍のために移動する少なくとも１つのレンズ群と、を有するズームレンズであって、隣り合うレンズ群の各組は、変倍のために間隔が変化し、前記第１レンズ群は、負レンズＧ１ｎを含み、前記負レンズＧ１ｎのアッベ数および部分分散比が適切に設定されていることを特徴とする。【選択図】  図１
2020012911.tif 000002
【特許請求の範囲】
【請求項１】
物体側から像側へ順に、正の屈折力の第１レンズ群と、変倍のために移動する負の屈折力の第２レンズ群と、変倍のために移動する少なくとも１つのレンズ群と、を有し、隣り合うレンズ群の各組は、変倍のために間隔が変化し、前記第１レンズ群は、負レンズＧ１ｎを含み、前記負レンズＧ１ｎのアッベ数および部分分散比をそれぞれνｄおよびθｇＦとして、条件式
θｇＦ−（−１．６６５×１０−７・νｄ３＋５．２１３×１０−５・νｄ２−５．６５６×１０−３・νｄ＋０．７３７）＞０、
０．５４５０＜θｇＦ、および
５０．０＜νｄ＜８５．０
を満足することを特徴とするズームレンズ。
ここで、アッべ数νｄおよび部分分散比θｇＦは、それぞれ、ｇ線（４３５．８ｎｍ）、Ｆ線（４８６．１ｎｍ）、Ｃ線（６５６．３ｎｍ）およびｄ線（５８７．６ｎｍ）に対する材料の屈折率をぞれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【請求項２】
前記第１レンズ群の焦点距離をｆ１とし、前記負レンズＧ１ｎの焦点距離をｆｎとして、条件式
１．００＜｜ｆｎ｜／ｆ１≦７．２０
を満足することを特徴とする請求項１に記載のズームレンズ。
【請求項３】
前記第１レンズ群は、物体側から像側へ順に、合焦のためには移動しない負の屈折力の第１サブレンズ群と、合焦のために移動する正の屈折力の第２サブレンズ群と、合焦のためには移動しない正の屈折力の第３サブレンズ群と、を有することを特徴とする請求項１又は２に記載のズームレンズ。
【請求項４】
前記第１サブレンズ群の焦点距離をｆ１ａとして、条件式
１．００＜｜ｆｎ／ｆ１ａ｜≦５．２０
を満足することを特徴とする請求項３に記載のズームレンズ。
【請求項５】
広角端の焦点距離をｆＷとして、条件式
１．００＜ｆ１／ｆＷ＜６０．００
を満足することを特徴とする請求項１乃至４のうちいずれか１項に記載のズームレンズ。
【請求項６】
望遠端の焦点距離をｆＴとして、条件式
１．００＜ｆＴ／ｆ１＜４．００
を満足することを特徴とする請求項１乃至５のうちいずれか１項に記載のズームレンズ。
【請求項７】
前記第２レンズ群の焦点距離をｆ２として、条件式
１．００＜ｆ１／｜ｆ２｜＜７．６０
を満足することを特徴とする請求項１乃至６のうちいずれか１項に記載のズームレンズ。
【請求項８】
前記負レンズＧ１ｎの像側の面の頂点から前記第１レンズ群の最も像側の面の頂点までの無限遠合焦における光軸上の距離をＤ１ｘとし、前記第１レンズ群の最も物体側の面の頂点から前記第１レンズ群の最も像側の面の頂点までの無限遠合焦における光軸上の距離をＤ１として、条件式
０．５００≦Ｄ１ｘ／Ｄ１＜１．０００
を満足することを特徴とする請求項１乃至７のうちいずれか１項に記載のズームレンズ。
【請求項９】
前記負レンズＧ１ｎの像側の面の頂点から絞りまでの無限遠合焦かつ広角端における光軸上の距離をＤｓｘとし、前記第１レンズ群の最も物体側の面の頂点から前記絞りまでの無限遠合焦かつ広角端における光軸上の距離をＤｓとして、条件式
０．７００≦Ｄｓｘ／Ｄｓ＜１．０００
を満足することを特徴とする請求項１乃至８のうちいずれか１項に記載のズームレンズ。
【請求項１０】
前記負レンズＧ１ｎの物体側の面の曲率半径をＲ１とし、前記負レンズＧ１ｎの像側の面の曲率半径をＲ２として、条件式
−５０．００＜（Ｒ１−Ｒ２）／（Ｒ１＋Ｒ２）＜５０．００
を満足することを特徴とする請求項１乃至９のうちいずれか１項に記載のズームレンズ。
【請求項１１】
前記負レンズＧ１ｎの材料の−３０℃以上＋７０℃以下における平均線膨張係数（１０−５／Ｋ）をαとして、条件式
０．５０＜α＜５．００
を満足することを特徴とする請求項１乃至１０のうちいずれか１項に記載のズームレンズ。
【請求項１２】
前記負レンズＧ１ｎの材料の屈折率をｎｄとして、条件式
１．４５０≦ｎｄ≦１．７５０
を満足することを特徴とする請求項１乃至１１のうちいずれか１項に記載のズームレンズ。
【請求項１３】
請求項１乃至１２のうちいずれか１項に記載のズームレンズと、
前記ズームレンズの像面に配された撮像素子と、
を有することを特徴とする撮像装置。
【発明の詳細な説明】
【技術分野】
【０００１】
本発明は、ズームレンズ及び撮像装置に関するものである。
【背景技術】
【０００２】
例えばスチルカメラ、ビデオカメラ、テレビカメラ、シネマカメラ及び監視カメラ等の、撮像素子を含む撮像装置（カメラ）の高機能化のため、それに用いるズームレンズには、高ズーム比、大口径比、及び高い光学性能を有するものが求められている。特に、プロフェッショナルユースのテレビカメラ・映画用カメラに用いられているＣＣＤやＣＭＯＳデバイス等の撮像デバイスは、撮像範囲全体にわたる解像力の均一性に優れている。そのため、ズームレンズには、その像面における解像力の均一性や、色収差の少なさが要求されている。
【０００３】
物体側より像側へ順に、正の屈折力のレンズ群と、負の屈折力のレンズ群と、少なくとも１つのレンズ群を含む後群とから構成される所謂ポジティブリード型のズームレンズが知られている。当該後群の構成としては、負の屈折力のレンズ群と正の屈折力のレンズ群とをそれぞれ少なくとも１つ有する構成、または複数の正の屈折力のレンズ群を有する構成が知られている（特許文献１）。
【０００４】
特許文献１は、物体側から像側へ順に、それぞれ正・負・負・正の屈折力の第１乃至第４レンズ群、またはそれぞれ正・負・正・正の屈折力の第１乃至第４レンズ群からなり、隣り合う各組のレンズ群の間隔を変えてズーミングを行うズームレンズを開示している。第１レンズ群が正の屈折力を有するポジティブリード型のズームレンズは、第１レンズ群が負の屈折力を有する所謂ネガティブリード型のズームレンズに比べて、高ズーム比化に有利である。
【０００５】
ポジティブリード型のズームレンズは、第１レンズ群により結像された像を、第２レンズ群以降のレンズ群を移動させて拡大又は縮小することでズーミングを行なっている。このため、ポジティブリード型のズームレンズは、第１レンズ群により発生した収差が後続のレンズ群により拡大されるため、第１レンズ群の構成が収差補正のうえで重要となる。
【先行技術文献】
【特許文献】
【０００６】
【特許文献１】特開２０１５−９４８６８号公報
【発明の概要】
【発明が解決しようとする課題】
【０００７】
高ズーム比を有するズームレンズにおいて高い光学性能を得るには、色収差のズーム変動の補正が重要であり、特に、広角端における倍率色収差の補正が重要である。少ないレンズ枚数としつつ各レンズ群の屈折力を強めると、諸収差が大きく発生し、高い光学性能を得るのが困難となるため、広角端における倍率色収差の補正も困難となる。
【０００８】
ポジティブリードのズームレンズは、第１レンズ群により発生する諸収差が光学性能に大きく影響するため、第１レンズ群のレンズに使用する硝材の選択が重要になる。例えば、倍率色収差を良好に補正するには、第１レンズ群に含まれる負レンズに、異常分散性を有する材料を使用するのが有効である。光学ガラスは、上方向に大きな値となるように部分分散比θｇＦを縦軸にとり、左方向に大きな値となるようにアッベ数を横軸にとった、図２２のグラフ（以下「θｇＦ−νｄ図」と呼ぶ）上にマッピングされる。光学ガラスは、θｇＦ−νｄ図上において、ノーマルラインと呼ばれる線に沿って分布することが知られている。
【０００９】
ここで、アッベ数νｄおよび部分分散比θｇＦは、それぞれ次の２式で表される。ここで、ｇ線（波長４３５．８ｎｍ）、Ｆ線（４８６．１ｎｍ）、Ｃ線（６５６．３ｎｍ）およびｄ線（５８７．６ｎｍ）に対する材料の屈折率は、それぞれＮｇ、ＮＦ、ＮＣおよびＮｄとする。
νｄ＝（Ｎｄ−１）／（ＮＦ−ＮＣ）
θｇＦ＝（Ｎｇ−ＮＦ）／（ＮＦ−ＮＣ）
【００１０】
色収差のうち倍率色収差を低減するには、絞りより物体側において軸外光線高さが高い光線が通る位置にある負レンズに、異常分散性の材料を使用する方法が知られている。異常分散性の材料は、図２２のθｇＦ−νｄ図において、ノーマルラインから離れた領域に位置している。
【００１１】
長焦点化されたポジティブリード型のズームレンズにおいては、広角端での軸外光線は、第１レンズ群の有効径内で高い光線高さを有し、倍率色収差の二次スペクトルや波長の組合せによる倍率色収差の差が発生しやすい。第１レンズ群による倍率色収差の二次スペクトルの補正には、θｇＦ−νｄ図において部分分散比θｇＦが大きくなる方向にノーマルラインから離れた領域にある材料を第１レンズ群内の負レンズに用いるのが有効である。
【００１２】
特許文献１は、倍率色収差の２次スペクトルの補正には第１レンズ群内の負レンズに部分分散比の比較的低い硝材を使用しているため、近年のＨＤＴＶ等の高解像力が要求される用途に対しては、特に広角端での倍率色収差の性能において、十分とはいえない。よって、広角、高ズーム比、大口径比、および高い光学性能の点で有利なズームレンズを得るには十分とはいえない。
【００１３】
本発明は、例えば、倍率色収差の二次スペクトルの低減に有利なズームレンズの提供を目的とする。
【課題を解決するための手段】
【００１４】
本発明のズームレンズは、物体側から像側へ順に、正の屈折力の第１レンズ群と、変倍のために移動する負の屈折力の第２レンズ群と、変倍のために移動する少なくとも１つのレンズ群と、を有し、隣り合うレンズ群の各組は、変倍のために間隔が変化し、前記第１レンズ群は、負レンズＧ１ｎを含み、前記負レンズＧ１ｎのアッベ数および部分分散比をそれぞれνｄおよびθｇＦとして、条件式
θｇＦ−（−１．６６５×１０−７・νｄ３＋５．２１３×１０−５・νｄ２−５．６５６×１０−３・νｄ＋０．７３７）＞０、
０．５４５０＜θｇＦ、および
５０．０＜νｄ＜８５．０
を満足することを特徴とするズームレンズ。ここで、アッべ数νｄおよび部分分散比θｇＦは、それぞれ、ｇ線（４３５．８ｎｍ）、Ｆ線（４８６．１ｎｍ）、Ｃ線（６５６．３ｎｍ）およびｄ線（５８７．６ｎｍ）に対する材料の屈折率をぞれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【発明の効果】
【００１５】
本発明によれば、例えば、倍率色収差の二次スペクトルの低減に有利なズームレンズを提供することができる。
【図面の簡単な説明】
【００１６】
【図１】実施例１の無限遠合焦時の広角端におけるレンズ断面図
【図２】実施例１の無限遠合焦時の広角端（ａ）、ズーム中間（ｂ）、望遠端（ｃ）、近距離合焦時の望遠端（ｄ）の収差図
【図３】実施例２の無限遠合焦時の広角端におけるレンズ断面図
【図４】実施例２の無限遠合焦時の広角端（ａ）、ズーム中間（ｂ）、望遠端（ｃ）、近距離合焦時の望遠端（ｄ）の収差図
【図５】実施例３の無限遠合焦時の広角端におけるレンズ断面図
【図６】実施例３の無限遠合焦時の広角端（ａ）、ズーム中間（ｂ）、望遠端（ｃ）、近距離合焦時の望遠端（ｄ）の収差図
【図７】実施例４の無限遠合焦時の広角端におけるレンズ断面図
【図８】実施例４の無限遠合焦時の広角端（ａ）、ズーム中間（ｂ）、望遠端（ｃ）、近距離合焦時の望遠端（ｄ）の収差図
【図９】実施例５の無限遠合焦時の広角端におけるレンズ断面図
【図１０】実施例５の無限遠合焦時の広角端（ａ）、ズーム中間（ｂ）、望遠端（ｃ）、近距離合焦時の望遠端（ｄ）の収差図
【図１１】実施例６の無限遠合焦時の広角端におけるレンズ断面図
【図１２】実施例６の無限遠合焦時の広角端（ａ）、ズーム中間（ｂ）、望遠端（ｃ）、近距離合焦時の望遠端（ｄ）の収差図
【図１３】実施例７の無限遠合焦時の広角端におけるレンズ断面図
【図１４】実施例７の無限遠合焦時の広角端（ａ）、ズーム中間（ｂ）、望遠端（ｃ）、近距離合焦時の望遠端（ｄ）の収差図
【図１５】実施例８の無限遠合焦時の広角端におけるレンズ断面図
【図１６】実施例８の無限遠合焦時の広角端（ａ）、ズーム中間（ｂ）、望遠端（ｃ）、近距離合焦時の望遠端（ｄ）の収差図
【図１７】実施例９の無限遠合焦時の広角端におけるレンズ断面図
【図１８】実施例９の無限遠合焦時の広角端（ａ）、ズーム中間（ｂ）、望遠端（ｃ）、近距離合焦時の望遠端（ｄ）の収差図
【図１９】実施例１０の無限遠合焦時の広角端におけるレンズ断面図
【図２０】実施例１０の無限遠合焦時の広角端（ａ）、ズーム中間（ｂ）、望遠端（ｃ）、近距離合焦時の望遠端（ｄ）の収差図
【図２１】本発明の要部概略図
【図２２】θｇＦ−νｄ図
【発明を実施するための形態】
【００１７】
以下に、本発明の好ましい実施の形態を、添付の図面に基づいて詳細に説明する。各実施例のズームレンズは、物体側より像側へ順に配置された、正の屈折力の第１レンズ群、負の屈折力の第２レンズ群、１つ以上のレンズ群を含む後群より構成され、互いに隣接するレンズ群の各組は、変倍のために間隔が変化するように構成されている。
【００１８】
第１レンズ群は１枚以上の負レンズを有し、第１レンズ群に含まれる少なくとも１つの負レンズＧ１ｎの材料は、材料のアッベ数をνｄ、材料の部分分散比をθｇＦとする。このとき、
θｇＦ−（−１．６６５×１０−７・νｄｉ３＋５．２１３×１０−５・νｄｉ２−５．６５６×１０−３・νｉ＋０．７３７）＞０  ・・・（１）
０．５４５０＜θｇＦ  ・・・（２）
５０．０＜νｄ＜８５．０  ・・・（３）
なる条件式を満足する。ここで、アッべ数νｄおよび部分分散比θｇＦは、それぞれ、ｇ線（４３５．８ｎｍ）、Ｆ線（４８６．１ｎｍ）、Ｃ線（６５６．３ｎｍ）およびｄ線（５８７．６ｎｍ）に対する材料の屈折率をぞれぞれＮｇ、ＮＦ、ＮＣおよびＮｄとして、式
νｄ＝（Ｎｄ−１）／（ＮＦ−ＮＣ）、および
θｇＦ＝（Ｎｇ−ＮＦ）／（ＮＦ−ＮＣ）
で表される。
【００１９】
本実施例のズームレンズは、ビデオカメラやデジタルスチルカメラ、テレビカメラ、シネマカメラ及び監視カメラ等の撮像装置の撮像光学系として用いられるものである。
【００２０】
各実施例のポジティブリード型のズームレンズでは、第１レンズ群Ｌ１にて発生した収差が、第１レンズ群Ｌ１以降、像面まで続くレンズ群の横倍率分だけ収差が拡大される。このため、第１レンズ群Ｌ１にて発生する光学収差を極力抑える必要がある。
【００２１】
各実施例のような長焦点化されたポジティブリードのズームレンズにおいて、特に広角端の軸外光線は第１レンズ群において、第１レンズ群の有効径内で高い光線高さを通過し、倍率色収差の二次スペクトルや波長毎の倍率色収差の差が発生しやすい。
【００２２】
広角化、高ズーム比化により発生する倍率色収差を抑えるためには、図２２に示すθｇＦ−νｄ図において、第１レンズ群Ｌ１内の負レンズに高部分分散比の硝材を選択すればよい。
【００２３】
条件式（１）及び（２）は、第１レンズ群Ｌ１内の負レンズＧ１ｎの材料の部分分散比θｇＦを規定している。図２２において点線が条件式（１）の曲線を示している。条件式（１）と（２）式を満たす硝材を、第１レンズ群内の負レンズに適用することで、広角端の倍率色収差の２次スペクトルの補正不足を解消し、ズームレンズとして倍率色収差の２次スペクトル補正を抑制することが可能となる。条件式（１）及び（２）の下限値を超えて小さくなると、広角端において倍率色収差の二次スペクトルの抑制が困難となる。
【００２４】
条件式（３）は第１レンズ群Ｌ１内の負レンズＧ１ｎの材料のθｇＦ、アッベ数νｄを規定している。
【００２５】
条件式（３）の上限値を超えてアッベ数νｄが大きくなると、広角側において倍率色収差を良好に補正することが困難となる。また、第１レンズ群Ｌ１内に接合レンズを有する場合、接合レンズ面の曲率がきつくなり、レンズ厚が増し大型化するため好ましくない。またアッベ数νｄが大きい材料は一般的に屈折率が低くなり、低屈折率によりレンズの周辺部まで含めたレンズ全厚が厚くなり大型化するため好ましくない。
【００２６】
条条件式（３）の下限値を超えてアッベ数νｄが小さくなると、第１レンズ群Ｌ１内の正レンズの材料とのアッベ数差が大きくなりすぎ、広角側において倍率色収差を良好に補正することが困難となる。
【００２７】
なお、各実施例において、好ましくは、条件式（１）乃至（３）の数値範囲を次の如くするのが良い。
θｇＦ−（−１．６６５０×１０−７・νｄ３＋５．２１３０×１０−５・νｄ２−５．６５６０×１０−３・νｄ＋０．７３９８）＞０   ・・・（１ａ）
０．５４９０＜θｇＦ＜０．６０００  ・・・（２ａ）
５２．０≦νｄ≦６５．０  ・・・（３ａ）
【００２８】
また、さらに好ましくは条件式（２ａ）、（３ａ）の数値範囲を次の如く設定するのが良い。
０．５５４３＜θｇＦ＜０．５９５０  ・・・（２ｂ）
５４．０≦νｄ≦６２．０  ・・・（３ｂ）
【００２９】
各実施例では以上の如く構成することにより、広画角、高ズーム比の高い光学性能を有するズームレンズを得ている。
【００３０】
各実施例において上記の構成とすることで、ズーム及びフォーカスの収差変動や画角変動等の抑制が可能となる。
【００３１】
各実施例において、条件式（１）乃至（３）を満たす硝材を第１レンズ群に用いている。また、各実施例において、条件式（１）乃至（３）を満たす硝材を第１ａレンズ群に用いている。実施例１乃至３、５乃至１０では第１レンズ群の２枚目に、実施例４では１枚目に用いている。さらに実施例２では１枚目、実施例５及び６では３枚目にも用いている。第１レンズ群のより物体側に位置すればするほど倍率色収差の２次スペクトル補正効果を高めることが可能となる。本発明では、１枚目、２枚目及び３枚目までに使用し、効果的な補正を実現している。また、特に１枚目及び２枚目までに使用した場合には、軸外光線が高く倍率色抑制効果が大きいことに加え、比較的屈折率が高い材料を用いることで重量を削減することができる。
【００３２】
各実施例において、好ましくは、次の条件式のうち１つ以上を満足するのが良い。
１．００＜｜ｆｎ｜／ｆ１≦７．２０  ・・・（４）
１．００＜｜ｆｎ／ｆ１ａ｜≦５．２０  ・・・（５）
１．００＜ｆ１／ｆＷ＜６０．００  ・・・（６）
１．００＜ｆＴ／ｆ１＜４．００  ・・・（７）
１．００＜ｆ１／｜ｆ２｜＜７．６０  ・・・（８）
０．５００≦Ｄ１ｘ／Ｄ１＜１．０００  ・・・（９）
０．７００≦Ｄｓｘ／Ｄｓ＜１．０００  ・・・（１０）
−５０．００＜（Ｒ１−Ｒ２）／（Ｒ１＋Ｒ２）＜５０．００  ・・・（１１）
０．５０＜α＜５．００  ・・・（１２）
１．４５０≦ｎｄ≦１．７５０  ・・・（１３）
【００３３】
条件式（４）は第１レンズ群Ｌ１の異常分散材を使用した負レンズＧ１ｎの焦点距離ｆｎと第１レンズ群Ｌ１の焦点距離ｆ１の比を規定している。条件式（４）を満たすことで該負レンズＧｎに適切なパワーを持たせることができ、広角端の倍率色収差の２次スペクトルを良好に補正することができる。条件式（４）の上限値を超えて負レンズＧ１ｎの焦点距離が長くなると、該負レンズＧｎに適切なパワーを持たせることができず、倍率色収差の２次スペクトル補正を十分に発揮できない。条件式（４）の下限値を超えて負レンズＧ１ｎの焦点距離が短くなりすぎると、第１レンズ群内の正レンズの屈折力を強くする必要があり、望遠端において球面収差やコマ収差が増加するため好ましくない。
【００３４】
条件式（５）は第１レンズ群Ｌ１の異常分散材を使用した負レンズＧ１ｎの焦点距離ｆｎと第１サブレンズ群Ｌ１ａの焦点距離ｆ１ａの比を規定している。条件式（５）を満たすことで該負レンズＧｎに適切なパワーを持たせることができ、広角端の倍率色収差の２次スペクトルを良好に補正することができる。条件式（５）の上限値を超えて負レンズＧ１ｎの焦点距離が長くなると、該負レンズＧｎに適切なパワーを持たせることができず、倍率色収差の２次スペクトル補正を十分に発揮できない。条件式（５）の下限値を超えて負レンズＧ１ｎの焦点距離が短くなりすぎると、第１ａレンズ群内の正レンズの屈折力を強くする必要があり、望遠端において球面収差やコマ収差が増加するため好ましくない。
【００３５】
条件式（６）は広角端における全系の焦点距離ｆＷと第１レンズ群Ｌ１の焦点距離ｆ１の比を規定している。条件式（６）の上限値を超えて第１レンズ群Ｌ１の焦点距離の比が大きくなると、広角端における全系の焦点距離が短くなりすぎ、第１レンズ群Ｌ１の有効径が大型化するため好ましくない。条件式（６）の下限値を超えて第１レンズ群Ｌ１の焦点距離が短くなると、球面収差やコマ収差が増大し、これらの諸収差の補正のためにレンズ枚数が多くなり、結果として全系が大型化するため好ましくない。あるいは、広角端における全系の焦点距離が長くなり、レンズの径方向の大きさには有利となるが広画角化が困難となり、好ましくない。
【００３６】
条件式（７）は望遠端における全系の焦点距離ｆＴと第１レンズ群Ｌ１の焦点距離ｆ１の比を規定している。条件式（７）の上限値を超えて、望遠端における全系の焦点距離が長くなると、球面収差、コマ収差が増大するため、好ましくない。あるいは第１レンズ群Ｌ１の焦点距離が短くなり、球面収差、コマ収差の補正が困難となるため、好ましくない。条件式（７）の下限値を超えて、望遠端における焦点距離が短くなると、高い変倍率が得られなくなり好ましくない。あるいは第１レンズ群Ｌ１の焦点距離が長くなることで、レンズ全長が増大するため好ましくない。
【００３７】
条件式（８）は第１レンズ群Ｌ１の焦点距離ｆ１と第２レンズ群Ｌ２の焦点距離ｆ２の比を規定している。条件式（８）の上限値を超えて第１レンズ群Ｌ１の焦点距離が長くなると、全系が大型化するため好ましくない。あるいは第２レンズ群Ｌ２の焦点距離が短くなるため高い変倍比は得られるが、第２レンズ群Ｌ２の焦点距離が短くなりすぎ、像面湾曲が増大するため、好ましくない。条件式（１１）の下限値を超えて第１レンズ群Ｌ１の焦点距離が短くなると、球面収差、コマ収差が増大し、これらの諸収差の補正のためにレンズ枚数が増加し、第１レンズ群Ｌ１の有効径が大きくなるため好ましくない。あるいは、第２レンズ群Ｌ２の焦点距離が長くなり、小型でありながら所定のズーム比を得ることが困難となるため、好ましくない。
【００３８】
条件式（９）は、前記負レンズＧｎの第１レンズ群内の配置について規定している。第１レンズ群に含まれる前記負レンズＧｎの像側面頂点から第１レンズ群の最も像側のガラスの像側面頂点までの無限遠合焦時における光軸上の距離をＤ１ｘとし、第１レンズ群の最も物体側にあるレンズの面頂点から第１レンズ群の最も像側のガラスの像側面頂点までの無限遠合焦時における光軸上の距離をＤ１とする。第１レンズ群内の負レンズに高部分分散比のガラスを用いた場合、広角端の倍率色収差の良好な補正を可能する一方で、望遠端の軸上色収差は不利に作用する。両立をするためには、前記負レンズＧｎは、倍率色収差補正に効果的な位置でありつつ、軸上色収差への影響が比較的小さい位置に配置されることが好ましい。すなわち、倍率色収差の２次スペクトルを低減するために軸外の瞳近軸光線の入射高の高い位置でありつつ、軸上光線の入射高が低い位置に前記負レンズＧｎを配置するのが効果的である。各実施例では、特に第１レンズ群のより物体側に位置すればするほどその傾向を有し、条件式（９）を満たすことで、望遠端軸上色収差への影響を抑制しつつ、広角端倍率色収差の２次スペクトルを良好に補正しすることができる。条件式（９）の下限値を超えると、広角端における倍率色収差の２次スペクトルの補正が困難となるため好ましくない。条件式（９）の上限値となるような配置は存在しない。
【００３９】
条件式（１０）は、負レンズＧｎのズームレンズ内の配置について規定している。第１レンズ群に含まれる前記負レンズＧｎの像側面頂点から絞りまでの無限遠合焦時における広角端での光軸上の距離をＤｓｘ、第１レンズ群の最も物体側にあるレンズの面頂点から絞りまでの無限遠合焦時における広角端での光軸上の距離をＤｓとする。倍率色収差の２次スペクトルを低減するには軸外の瞳近軸光線の入射高の高い位置に前記負レンズＧｎを配置するのが効果的である。一般的に、絞りからの距離が離れれば離れるほど軸外の瞳近軸光線の入射高は高くなる傾向を有し、条件式（１０）を満たすことで、広角端倍率色収差の２次スペクトルを良好に補正しすることができる。条件式（１０）の下限値を超えると、広角端における倍率色収差の２次スペクトルの補正が困難となるため好ましくない。条件式（１０）の上限値となるような配置は存在しない。
【００４０】
条件式（１１）は第１レンズ群内の前記負レンズＧｎのレンズ形状を規定している。前記負レンズＧｎの物体側の曲率半径と像側の曲率半径をそれぞれＲ１、Ｒ２とする。第１レンズ群Ｌ１は、広角端においては像面湾曲、歪曲等、望遠端においてはコマ収差、球面収差等を補正しており、主にレンズの形状に起因している。条件式（１１）の上限値及び下限値を超えると、前記負レンズＧｎは軸外光線に対して、異なる入射傾角をもつようになり物体側面と像側面で発生した収差が強め合うため、他のレンズ面で補正しきれなくなり、光学性能が劣化してくる。
【００４１】
条件式（１２）は第１レンズ群内の前記負レンズＧｎの異常分散材の線膨張係数αを規定している。線膨張係数αは−３０℃以上＋７０℃以下における平均線膨張係数（１０−５／Ｋ）を表す。条件式（１２）の上限値を超えて線膨張係数が大きくなると温度変化によるレンズ形状の変化が大きくなり、光学性能が劣化してくる。条件式（１２）の下限値を超えて線膨張係数が小さくなると温度変化によるレンズの形状変化が小さく良いが、条件式を満足する材料を製造することが困難となる。
【００４２】
条件式（１３）の第１レンズ群内の前記負レンズＧｎの材料の屈折率ｎｄを規定している。条件式（１３）の上限値を超えて屈折率が大きくなると、全系の小型化が容易となるが、条件式（１）乃至（３）を満たすような材料は製造が困難となる。また、条件式（１３）の下限値を超えて屈折率が低くなると、レンズ肉厚が厚くなり全系が大型化するため好ましくない。
【００４３】
なお、各実施例において、好ましくは、条件式（４）乃至（１３）の数値範囲を次の如くするのが良い。
１．３０＜｜ｆｎ｜／ｆ１≦７．００  ・・・（４ａ）
１．４０＜｜ｆｎ／ｆ１ａ｜≦３．７０  ・・・（５ａ）
１．５０＜ｆ１／ｆＷ＜４０．００  ・・・（６ａ）
１．００＜ｆＴ／ｆ１＜３．７５  ・・・（７ａ）
１．２５＜ｆ１／｜ｆ２｜＜６．５０  ・・・（８ａ）
０．５５０≦Ｄ１ｘ／Ｄ１＜１．０００  ・・・（９ａ）
０．７４０≦Ｄｓｘ／Ｄｓ＜１．０００  ・・・（１０ａ）
−３０．００＜（Ｒ１−Ｒ２）／（Ｒ１＋Ｒ２）＜１０．００  ・・・（１１ａ）
０．８０＜α＜３．００  ・・・（１２ａ）
１．４８０≦ｎｄ≦１．７００  ・・・（１３ａ）
【００４４】
また、さらに好ましくは条件式（４ａ）乃至（１３ａ）の数値範囲を次の如く設定するのが良い。
１．４０＜｜ｆｎ｜／ｆ１≦６．００  ・・・（４ｂ）
１．６０＜｜ｆｎ／ｆ１ａ｜≦３．００  ・・・（５ｂ）
２．００＜ｆ１／ｆＷ＜３０．００  ・・・（６ｂ）
１．００＜ｆＴ／ｆ１＜３．５０  ・・・（７ｂ）
１．５０＜ｆ１／｜ｆ２｜＜６．００  ・・・（８ｂ）
０．６５０≦Ｄ１ｘ／Ｄ１＜１．０００  ・・・（９ｂ）
０．８００≦Ｄｓｘ／Ｄｓ＜１．０００  ・・・（１０ｂ）
−２５．００＜（Ｒ１−Ｒ２）／（Ｒ１＋Ｒ２）＜６．００  ・・・（１１ｂ）
０．９０＜α＜１．６０  ・・・（１２ｂ）
１．５５０≦ｎｄ≦１．６５０  ・・・（１３ｂ）
【００４５】
各実施例では以上のように各要素を構成することにより、広角高変倍比であり、高性能である小型ハイスペックなズームレンズを得ることができる。
【００４６】
各実施例において、好ましくは、第１レンズ群Ｌ１は物体側から像側へ順に、合焦時に不動の負の屈折力の部分群である第１サブレンズ群Ｌ１ａ、１つ以上の合焦時に光軸上を移動する正の屈折力の部分群である第２サブレンズ群Ｌ１ｂを有することが望ましい。また、第１レンズ群の最も像側にあり合焦時に不動の正の屈折力の部分群である最終サブレンズ群Ｌ１ｚを有することが望ましい。ズーミングに際し移動しない第１レンズ群内でフォーカシングを行うことで、近距離撮影時のズーム倍率の変動を防ぐことができる。また、最も物体側にありフォーカシングに際し不動の第１サブレンズ群Ｌ１ａと、フォーカシングに際し像側に移動する第２サブレンズ群Ｌ１ｂ、最も像側にありフォーカシングに際し不動の最終サブレンズ群を有することで、フォーカス時の画界変化やフォーカス時の収差変動を抑えることができる。
【００４７】
また各実施例において、好ましくは、前記負レンズＧｎは、前記第１サブレンズ群Ｌ１ａに有することが望ましい。第１レンズ群内の負レンズに高部分分散比のガラスを用いた場合、広角端の倍率色収差の良好な補正を可能する一方で、望遠端の軸上色収差は不利に作用する。両立をするためには、前記負レンズＧｎは、倍率色収差補正に効果的な位置でありつつ、軸上色収差への影響が比較的小さい位置に配置されることが好ましい。すなわち、倍率色収差の２次スペクトルを低減するために軸外の瞳近軸光線の入射高の高い位置でありつつ、軸上光線の入射高が低い第１サブレンズ群Ｌ１ａに前記負レンズＧｎを配置するのが効果的である。
【００４８】
また実施例１乃至９において、好ましくは、第１レンズ群が変倍時に固定されていることが望ましい。重量が大きい第１レンズ群が変倍時に固定されることで、機構の簡略化するとともに変倍時に重量バランスが大きく変化しない効果を奏する。また、広角端から望遠端へのズーミングに際して負の屈折力の第２レンズ群Ｌ２、もしくは合成焦点距離が負の屈折力となる第２レンズ群Ｌ２及び第３レンズ群Ｌ３が各々像側に移動することで、高いズーム倍率を確保することが容易となる。
【００４９】
また各実施例において、好ましくは、最も像側のレンズ群が固定されていることが望ましい。最も像側のレンズ群が固定されていることで、像面湾曲収差の変動を防ぎ、交換レンズに適した機構の簡略化が可能となる。また実施例１乃９のように第１レンズ群と最も像側のレンズ群が固定されていることで、レンズ系全長が変化しないという効果を奏する。
【００５０】
また各実施例において、好ましくは、最も像側のレンズ群が正の屈折力であることが好ましい。最も像側のレンズ群が正の屈折力をもつことで、結像レンズ群としての役割を担い、結像レンズ群より物体側のレンズ群の小型化が可能となる。
【００５１】
また各実施例において、好ましくは、ズーミング及びフォーカシングに際し開口絞りＳＰが不動であることが好ましい。開口絞りＳＰが不動であることにより、Ｆ（Ｆナンバー）落ちのズーム位置までの全ズーム範囲でＦナンバーを一定に保つことができる。
【００５２】
また各実施例において、好ましくは、ズーミング及びフォーカシングに際し開口絞りＳＰよりも像側のレンズ群が不動であることが好ましい。開口絞りＳＰが不動であることにより、Ｆ落ちのズーム位置までのＦナンバーを一定に保つことができる。
【００５３】
また実施例５、６、９のように、広角端から望遠端へのズーミングに際して、第２レンズ群の移動量と第３レンズ群の移動量とが同程度であり、いずれも像側に移動する場合、第２レンズ群と第３レンズ群を実質的に一つのレンズ群として考えることができる。
【００５４】
広角端に対し、ズーミングにおける望遠端での第２レンズ群の移動量をＭ２、第３レンズ群の移動量をＭ３としたとき、像側への移動方向を正として、下記の条件式、
０．７５＜Ｍ３／Ｍ２＜１．２５  ・・・（１４）
を満足する場合は、広角端における第２レンズ群と第３レンズ群の合成焦点距離ｆ２３ｗを、上記の条件式（８）、（８ａ）及び（８ｂ）におけるｆ２として考え、上記の条件式を満足することが好ましい。
【００５５】
好ましくは、条件式（１４）の数値範囲を次の如くするのが良い。
０．９５＜Ｍ３／Ｍ２＜１．０５  ・・・（１４ａ）
【００５６】
また各実施例において、ズーミングに際して移動する第２レンズ群Ｌ２を負レンズ先行のレンズ群構成にすることで、広角化に対応することが可能となる。開口絞りＳＰの像側に隣接するレンズ群は正の屈折力を有することが望ましい。広角端において、軸上光束は負の屈折力の第２レンズ群Ｌ２を通過すると発散光束となるが、第２レンズ群Ｌ２より像側に位置する開口絞りＳＰの像側に隣接したレンズ群を正の屈折力とする。これにより光束に対して収斂作用を持たせ、後群のレンズ有効径を小さくすることができる。
以下、実施例１〜１０に対応する数値実施例１〜１０のレンズ構成を説明する。
【実施例１】
【００５７】
図１は実施例１の無限遠合焦時の広角端におけるレンズ断面図である。各レンズ断面図において、左方が被写体（物体）側（前方）で、且つ、撮像光学系側であり、右方が像側（後方）である。また、レンズ断面図において、ｉを物体側からのレンズ群の順番とすると、Ｌｉは第ｉレンズ群を示す。ＳＰは開口絞りである。ＩＰは像面である。Ｇはプリズムや光学フィルタ等の光学ブロックである。像面Ｉは、デジタルカメラやビデオカメラ、監視カメラの撮像光学系としてズームレンズを使用する際には、ＣＣＤセンサやＣＭＯＳセンサなどの撮像素子（光電変換素子）の撮像面に相当する。後述する各実施例においても同様である。
【００５８】
実施例１のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、開口絞りＳＰ、正の屈折力の第４レンズ群Ｌ４の４つのレンズ群から構成されている。ズーミングに際して第１レンズ群Ｌ１と第４レンズ群Ｌ４と開口絞りＳＰは不動である。広角端から望遠端へのズーミングに際して、第２レンズ群が像側に移動し、第３レンズ群は物体側に凸の軌跡で移動する。第３レンズ群を負の屈折力とし物体側に凸の軌跡で移動させることで、ズーミング中間で第２レンズ群の移動スペースを活用し、小型なズームレンズとすることができる。
【００５９】
実施例１のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、ズーミングに際し、開口絞りＳＰ及び開口絞りＳＰより像側のレンズ群である第４レンズ群Ｌ４が不動であることで、広角端からＦ（Ｆナンバー）落ちポイントまでのズーム範囲でＦナンバーを一定に保っている。
【００６０】
実施例１のズームレンズは、第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に不動の正の屈折力の第３サブレンズ群（最終サブレンズ群）Ｌ１ｃからなる。フォーカスを行う場合には、第１レンズ群Ｌ１のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。これによりフォーカシングによる収差変動や画角変動を抑制することができる。
【００６１】
実施例１は変倍比（ズーム比）１４．４７倍、開口比（Ｆナンバー）１．９０〜２．８０程度のズームレンズである。
【００６２】
各レンズ群の構成について説明する。以下、各レンズは物体側より像側へ順に配置されているものとする。
【００６３】
実施例１の第１レンズ群Ｌ１は負レンズ、負レンズ、負レンズ、正レンズ、正レンズ、正レンズと負レンズの接合レンズ、負レンズと正レンズの接合レンズ、正レンズ、正レンズの１１枚で構成されている。第１レンズ群は３つの部分群から構成され、物体側から順に１枚目から４枚目が第１ａレンズ群、５枚目が第１ｂレンズ群、６枚目から１１枚目が第１ｃレンズ群である。フォーカシングに際して第１ａレンズ群及び第１ｃレンズ群が常時固定であり、第１ｂレンズ群が近距離合焦時に像側に移動する。第２レンズ群Ｌ２は負レンズ、負レンズ、正レンズと負レンズの接合レンズ、正レンズの５枚で構成されている。第３レンズ群Ｌ３は負レンズと正レンズの接合レンズで構成されている。ズーミングに際して第２レンズ群、第３レンズ群が移動する。第４レンズ群Ｌ４は正レンズ、正レンズ、正レンズと負レンズの接合レンズ、正レンズ、負レンズと正レンズの接合レンズ、正レンズと負レンズの接合レンズ、正レンズで構成されている。第４レンズ群には、焦点距離を長焦点化可能なエクステンダ群を挿入するための間隔を有している。
【００６４】
図２（Ａ）、（Ｂ）、（Ｃ）、（Ｄ）は実施例１の無限遠合焦時における広角端、中間のズーム位置、望遠端、０．６ｍ合焦時における望遠端の収差図である。球面収差図において、実線はｄ線、二点鎖線はｇ線、一点鎖線はＣ線、破線はＦ線を示す。を表している。また非点収差を示す図において、実線のＳはｄ線のサジタル方向、破線のＭはｄ線のメリディオナル方向を表している。また歪曲を示す収差図は、ｄ線における歪曲を表している。倍率色収差はｄ線に対するｇ線について示している。ωは半画角、ＦｎｏはＦナンバーである。球面収差図は０．４ｍｍ、非点収差図は０．４ｍｍ、歪曲図は１０％、倍率色収差図は０．０５ｍｍのスケールで描かれている。後述する各実施例においても同様である。
【実施例２】
【００６５】
図３は実施例２の無限遠合焦時の広角端におけるレンズ断面図である。図４（Ａ）、（Ｂ）、（Ｃ）、（Ｄ）は実施例２の無限遠合焦時における広角端、中間のズーム位置、望遠端、０．６ｍ合焦時における望遠端の収差図である。
【００６６】
実施例２のズームレンズは、概略の構成、ズーミング時の移動、合焦のための移動において、実施例１のズームレンズと同様の特徴を有する。また、各レンズ群を構成するレンズ要素についても実施例１と同様の特徴を有する。
【００６７】
実施例２は変倍比（ズーム比）１４．４６倍、開口比（Ｆナンバー）１．９０〜２．８０程度のズームレンズである。
【実施例３】
【００６８】
図５は実施例３の無限遠合焦時の広角端におけるレンズ断面図である。図６（Ａ）、（Ｂ）、（Ｃ）、（Ｄ）は実施例３の無限遠合焦時における広角端、中間のズーム位置、望遠端、０．６ｍ合焦時における望遠端の収差図である。
【００６９】
実施例３のズームレンズは、概略の構成、ズーミング時の移動、合焦のための移動において、実施例１のズームレンズと同様の特徴を有する。また、各レンズ群を構成するレンズ要素についても実施例１と同様の特徴を有する。
【００７０】
実施例３は変倍比（ズーム比）１４．４６倍、開口比（Ｆナンバー）１．９０〜２．８０程度のズームレンズである。
【実施例４】
【００７１】
図７は実施例４の無限遠合焦時の広角端におけるレンズ断面図である。図８（Ａ）、（Ｂ）、（Ｃ）、（Ｄ）は実施例４の無限遠合焦時における広角端、中間のズーム位置、望遠端、０．６ｍ合焦時における望遠端の収差図である。
【００７２】
実施例４のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、開口絞りＳＰ、正の屈折力の第４レンズ群Ｌ４の４つのレンズ群から構成されている。ズーミングに際して第１レンズ群Ｌ１と第４レンズ群Ｌ４と開口絞りＳＰは不動である。広角端から望遠端へのズーミングに際して、第２レンズ群が像側に移動し、第３レンズ群は物体側に凸の軌跡で移動する。第３レンズ群を負の屈折力とし物体側に凸の軌跡で移動させることで、ズーミング中間で第２レンズ群の移動スペースを活用し、小型なズームレンズとすることができる。
【００７３】
実施例４のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、ズーミングに際し、開口絞りＳＰ及び開口絞りＳＰより像側のレンズ群である第４レンズ群Ｌ４が不動であることで、広角端からＦ（Ｆナンバー）落ちポイントまでのズーム範囲でＦナンバーを一定に保っている。
【００７４】
実施例４のズームレンズは、第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に光軸上を移動する正の屈折力の第３サブレンズ群Ｌ１ｃ、合焦時に不動の正の屈折力の第４サブレンズ群（最終サブレンズ群）Ｌ１ｄからなる。フォーカスを行う場合には、第１レンズ群Ｌ１のうち第２サブレンズ群Ｌ１ｂ及び第３サブレンズ群Ｌ１ｃを、光軸上を移動させてフォーカシングを行うインナーフォーカス式を採用している。無限遠から近距離へフォーカスを行う場合に、第２サブレンズ群Ｌ１ｂ、第３サブレンズ群Ｌ１ｃが光軸上を像側へ移動する。これによりフォーカシングによる収差変動や画角変動を抑制することができる。
【００７５】
実施例４は変倍比（ズーム比）１４．４７倍、開口比（Ｆナンバー）１．９０〜２．８０程度のズームレンズである。
【００７６】
実施例４の第１レンズ群Ｌ１は負レンズ、負レンズ、負レンズ、正レンズ、正レンズ、正レンズと負レンズの接合レンズ、負レンズと正レンズの接合レンズ、正レンズ、正レンズの１１枚で構成されている。第１レンズ群は４つの部分群から構成され、物体側から順に１枚目から４枚目が第１サブレンズ群Ｌ１ａ、５枚目が第２サブレンズ群Ｌ１ｂ、６枚目から７枚目が第３サブレンズ群Ｌ１ｃ、８枚目から１１枚目が第４サブレンズ群Ｌ１ｄである。フォーカシングに際して第１サブレンズ群Ｌ１ａ及び第４サブレンズ群Ｌ１ｄが常時固定であり、第２サブレンズ群Ｌ１ｂ及び第３サブレンズ群Ｌ１ｃが近距離合焦時に共に別々の軌跡で像側に移動する。第２レンズ群Ｌ２は負レンズ、負レンズ、正レンズと負レンズの接合レンズ、正レンズの５枚で構成されている。第３レンズ群Ｌ３は負レンズと正レンズの接合レンズで構成されている。ズーミングに際して第２レンズ群、第３レンズ群が移動する。第４レンズ群Ｌ４は正レンズ、正レンズ、正レンズと負レンズの接合レンズ、正レンズ、負レンズと正レンズの接合レンズ、正レンズと負レンズの接合レンズ、正レンズで構成されている。第４レンズ群には、焦点距離を長焦点化可能なエクステンダ群を挿入するための間隔を有している。
【実施例５】
【００７７】
図９は実施例５の無限遠合焦時の広角端におけるレンズ断面図である。図１０（Ａ）、（Ｂ）、（Ｃ）、（Ｄ）は実施例５の無限遠合焦時における広角端、中間のズーム位置、望遠端、１．０ｍ合焦時における望遠端の収差図である。
【００７８】
実施例５のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、負の屈折力の第４レンズ群Ｌ４、開口絞りＳＰ、正の屈折力の第５レンズ群Ｌ５の５つのレンズ群から構成されている。ズーミングに際して第１レンズ群Ｌ１と第５レンズ群Ｌ５と開口絞りＳＰは不動である。広角端から望遠端へのズーミングに際して、第２レンズ群が像側に移動し、第３レンズ群が像側に移動し、第４レンズ群は物体側に凸の軌跡で移動する。第４レンズ群を負の屈折力とし物体側に凸の軌跡で移動させることで、ズーミング中間で第２レンズ群及び第３レンズ群の移動スペースを活用し、小型なズームレンズとすることができる。
【００７９】
実施例５のズームレンズは、第２レンズ群Ｌ２及び第３レンズ群Ｌ３の移動により主な変倍を行っている。ズーミングに際し、広角端に比べ望遠端において第２レンズ群Ｌ２及び第３レンズ群Ｌ３が像側に位置するように移動させることにより、第２レンズ群Ｌ２及び第３レンズ群Ｌ３に大きな変倍効果を持たせている。また、第２レンズ群と第３レンズ群の間隔は、広角端に対し望遠端で減少するように移動する。これにより広角端及び望遠端の良好な収差補正と高倍率化を実現している。また、ズーミングに際し、開口絞りＳＰ及び開口絞りＳＰより像側のレンズ群である第５レンズ群Ｌ５が不動であることで、広角端からＦ（Ｆナンバー）落ちポイントまでのズーム範囲でＦナンバーを一定に保っている。
【００８０】
実施例５のズームレンズは、第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に不動の正の屈折力の第３サブレンズ群（最終サブレンズ群）Ｌ１ｃからなる。フォーカスを行う場合には、第１レンズ群Ｌ１のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。これによりフォーカシングによる収差変動や画角変動を抑制することができる。
【００８１】
実施例５は変倍比（ズーム比）１４．４７倍、開口比（Ｆナンバー）１．９０〜２．８０程度のズームレンズである。
【００８２】
実施例５の第１レンズ群Ｌ１は負レンズ、負レンズ、負レンズ、正レンズ、正レンズ、正レンズと負レンズの接合レンズ、負レンズと正レンズの接合レンズ、正レンズ、正レンズの１１枚で構成されている。第１レンズ群は３つの部分群から構成され、物体側から順に１枚目から４枚目が第１ａレンズ群、５枚目が第１ｂレンズ群、６枚目から１１枚目が第１ｃレンズ群である。フォーカシングに際して第１ａレンズ群及び第１ｃレンズ群が常時固定であり、第１ｂレンズ群が近距離合焦時に像側に移動する。第２レンズ群Ｌ２は負レンズ１枚で構成されている。第３レンズ群Ｌ３は、負レンズ、正レンズと負レンズの接合レンズ、正レンズの４枚で構成されている。第４レンズ群Ｌ４は負レンズと正レンズの接合レンズで構成されている。ズーミングに際して第２レンズ群、第３レンズ群、第４レンズ群が移動する。第５レンズ群Ｌ５は正レンズ、正レンズ、正レンズと負レンズの接合レンズ、正レンズ、負レンズと正レンズの接合レンズ、正レンズと負レンズの接合レンズ、正レンズで構成されている。第５レンズ群には、焦点距離を長焦点化可能なエクステンダ群を挿入するための間隔を有している。
【実施例６】
【００８３】
図１１は実施例６の無限遠合焦時の広角端におけるレンズ断面図である。図１２（Ａ）、（Ｂ）、（Ｃ）、（Ｄ）は実施例６の無限遠合焦時における広角端、中間のズーム位置、望遠端、１．０ｍ合焦時における望遠端の収差図である。
【００８４】
実施例６のズームレンズは、物体側より像側へ順に配置された次のレンズ群より構成されている。正の屈折力の第１レンズ群Ｌ１、負の屈折力の第２レンズ群Ｌ２、正の屈折力の第３レンズ群Ｌ３、負の屈折力の第４レンズ群Ｌ４、開口絞りＳＰ、正の屈折力の第５レンズ群Ｌ５の５つのレンズ群から構成されている。ズーミングに際して第１レンズ群Ｌ１と第５レンズ群Ｌ５と開口絞りＳＰは不動である。広角端から望遠端へのズーミングに際して、第２レンズ群が像側に移動し、第３レンズ群が像側に移動し、第４レンズ群は物体側に凸の軌跡で移動する。第４レンズ群を負の屈折力とし物体側に凸の軌跡で移動させることで、ズーミング中間で第２レンズ群及び第３レンズ群の移動スペースを活用し、小型なズームレンズとすることができる。
【００８５】
実施例６のズームレンズは、第２レンズ群Ｌ２及び第３レンズ群Ｌ３の移動により主な変倍を行っている。ズーミングに際し、広角端に比べ望遠端において第２レンズ群Ｌ２及び第３レンズ群Ｌ３が像側に位置するように移動させることにより、第２レンズ群Ｌ２及び第３レンズ群Ｌ３に大きな変倍効果を持たせている。また、第２レンズ群と第３レンズ群の間隔は、広角端に対し望遠端で増加するように移動する。これにより広角端及び望遠端の良好な収差補正と高倍率化を実現している。また、ズーミングに際し、開口絞りＳＰ及び開口絞りＳＰより像側のレンズ群である第５レンズ群Ｌ５が不動であることで、広角端からＦ（Ｆナンバー）落ちポイントまでのズーム範囲でＦナンバーを一定に保っている。
【００８６】
実施例６のズームレンズは、第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に不動の正の屈折力の第３サブレンズ群（最終サブレンズ群）Ｌ１ｃからなる。フォーカスを行う場合には、第１レンズ群Ｌ１のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。これによりフォーカシングによる収差変動や画角変動を抑制することができる。
【００８７】
実施例６は変倍比（ズーム比）１４．４６倍、開口比（Ｆナンバー）１．９０〜２．８０程度のズームレンズである。
【００８８】
実施例６の第１レンズ群Ｌ１は負レンズ、負レンズ、負レンズ、正レンズ、正レンズ、正レンズと負レンズの接合レンズ、負レンズと正レンズの接合レンズ、正レンズ、正レンズの１１枚で構成されている。第１レンズ群は３つの部分群から構成され、物体側から順に１枚目から４枚目が第１ａレンズ群、５枚目が第１ｂレンズ群、６枚目から１１枚目が第１ｃレンズ群である。フォーカシングに際して第１ａレンズ群及び第１ｃレンズ群が常時固定であり、第１ｂレンズ群が近距離合焦時に像側に移動する。第２レンズ群Ｌ２は負レンズ、負レンズの２枚で構成されている。第３レンズ群Ｌ３は、正レンズと負レンズの接合レンズ、正レンズの３枚で構成されている。第４レンズ群Ｌ４は負レンズと正レンズの接合レンズで構成されている。ズーミングに際して第２レンズ群、第３レンズ群、第４レンズ群が移動する。第５レンズ群Ｌ５は正レンズ、正レンズ、正レンズと負レンズの接合レンズ、正レンズ、負レンズと正レンズの接合レンズ、正レンズと負レンズの接合レンズ、正レンズで構成されている。第５レンズ群には、焦点距離を長焦点化可能なエクステンダ群を挿入するための間隔を有している。
【実施例７】
【００８９】
図１３は実施例７の無限遠合焦時の広角端におけるレンズ断面図である。図１４（Ａ）、（Ｂ）、（Ｃ）、（Ｄ）は実施例７の無限遠合焦時における広角端、中間のズーム位置、望遠端、１．５ｍ合焦時における望遠端の収差図である。
【００９０】
実施例７のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、開口絞りＳＰ、正の屈折力の第４レンズ群Ｌ４の４つのレンズ群から構成されている。ズーミングに際して第１レンズ群Ｌ１と第４レンズ群Ｌ４と開口絞りＳＰは不動である。広角端から望遠端へのズーミングに際して、第２レンズ群が像側に移動し、第３レンズ群は物体側に凸の軌跡で移動する。第３レンズ群を負の屈折力とし物体側に凸の軌跡で移動させることで、ズーミング中間で第２レンズ群の移動スペースを活用し、小型なズームレンズとすることができる。
【００９１】
実施例７のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、ズーミングに際し、開口絞りＳＰ及び開口絞りＳＰより像側のレンズ群である第４レンズ群Ｌ４が不動であることで、広角端からＦ（Ｆナンバー）落ちポイントまでのズーム範囲でＦナンバーを一定に保っている。
【００９２】
実施例７のズームレンズは、第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に不動の正の屈折力の第３サブレンズ群（最終サブレンズ群）Ｌ１ｃからなる。フォーカスを行う場合には、第１レンズ群Ｌ１のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。これによりフォーカシングによる収差変動や画角変動を抑制することができる。
【００９３】
実施例７は変倍比（ズーム比）８．００倍、開口比（Ｆナンバー）２．７９〜３．５９程度のズームレンズである。
【００９４】
実施例７の第１レンズ群Ｌ１は負レンズ、負レンズ、正レンズ、正レンズ、正レンズと負レンズの接合レンズ、負レンズと正レンズの接合レンズ、正レンズ、正レンズの１０枚で構成されている。第１レンズ群は３つの部分群から構成され、物体側から順に１枚目から３枚目が第１ａレンズ群、４枚目から６枚目が第１ｂレンズ群、７枚目から１０枚目が第１ｃレンズ群である。フォーカシングに際して第１ａレンズ群及び第１ｃレンズ群が常時固定であり、第１ｂレンズ群が近距離合焦時に像側に移動する。第２レンズ群Ｌ２は負レンズ、正レンズと負レンズの接合レンズ、負レンズ、正レンズの５枚で構成されている。第３レンズ群Ｌ３は負レンズと正レンズの接合レンズで構成されている。ズーミングに際して第２レンズ群、第３レンズ群が移動する。第４レンズ群Ｌ４は正レンズ、正レンズ、正レンズと負レンズの接合レンズ、正レンズと負レンズの接合レンズ、正レンズ、正レンズと負レンズの接合レンズ、正レンズと負レンズの接合レンズ、正レンズで構成されている。
【実施例８】
【００９５】
図１５は実施例８の無限遠合焦時の広角端におけるレンズ断面図である。図１６（Ａ）、（Ｂ）、（Ｃ）、（Ｄ）は実施例８の無限遠合焦時における広角端、中間のズーム位置、望遠端、０．８ｍ合焦時における望遠端の収差図である。
【００９６】
実施例８のズームレンズは、物体側より像側へ順に配置された次のレンズ群より構成されている。正の屈折力の第１レンズ群Ｌ１、負の屈折力の第２レンズ群Ｌ２、正の屈折力の第３レンズ群Ｌ３、正の屈折力の第４レンズ群Ｌ４、開口絞りＳＰ、正の屈折力の第５レンズ群Ｌ５の５つのレンズ群から構成されている。ズーミングに際して第１レンズ群Ｌ１と第５レンズ群Ｌ５と開口絞りＳＰは不動である。広角端から望遠端へのズーミングに際して、第２レンズ群が像側に移動し、第３レンズ群は物体側に凸の軌跡で移動し、第４レンズ群は物体側に凸の軌跡で移動する。第３レンズ群及び第４レンズ群を正の屈折力とし物体側に凸の軌跡で移動させることで、ズーミング中間で第２レンズ群の移動スペースを活用し、小型で高倍率なズームレンズとすることができる。
【００９７】
実施例８のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、ズーミングに際し、開口絞りＳＰ及び開口絞りＳＰより像側のレンズ群である第５レンズ群Ｌ５が不動であることで、広角端からＦ（Ｆナンバー）落ちポイントまでのズーム範囲でＦナンバーを一定に保っている。
【００９８】
実施例８のズームレンズは、第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に不動の正の屈折力の第３サブレンズ群（最終サブレンズ群）Ｌ１ｃからなる。フォーカスを行う場合には、第１レンズ群Ｌ１のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。これによりフォーカシングによる収差変動や画角変動を抑制することができる。
【００９９】
実施例８は変倍比（ズーム比）３０．００倍、開口比（Ｆナンバー）１．４９〜２．２０程度のズームレンズである。
【０１００】
実施例８の第１レンズ群Ｌ１は負レンズ、負レンズ、正レンズ、正レンズ、負レンズと正レンズの接合レンズ、正レンズ、正レンズ、正レンズの９枚で構成されている。第１レンズ群は３つの部分群から構成され、物体側から順に１枚目から３枚目が第１サブレンズ群Ｌ１ａ、４枚目から６枚目が第２サブレンズ群Ｌ１ｂ、７枚目から９枚目が第３サブレンズ群Ｌ１ｃである。フォーカシングに際して第１サブレンズ群Ｌ１ａ及び第３サブレンズ群Ｌ１ｃが常時固定であり、第２サブレンズ群Ｌ１ｂが近距離合焦時に像側に移動する。第２レンズ群Ｌ２は負レンズ、負レンズと正レンズの接合レンズ、負レンズの４枚で構成されている。第３レンズ群Ｌ３は正レンズ、正レンズ、負レンズの３枚で構成されている。第４レンズ群Ｌ４は負レンズと正レンズの接合レンズ、正レンズで構成されている。ズーミングに際して第２レンズ群、第３レンズ群、第４レンズ群が移動する。第５レンズ群Ｌ５は負レンズと正レンズと負レンズの接合レンズ、負レンズ、負レンズと正レンズの接合レンズ、負レンズと正レンズの接合レンズ、正レンズ、正レンズ、負レンズと正レンズの接合レンズで構成されている。
【実施例９】
【０１０１】
図１７は実施例９の無限遠合焦時の広角端におけるレンズ断面図である。図１８（Ａ）、（Ｂ）、（Ｃ）、（Ｄ）は実施例９の無限遠合焦時における広角端、中間のズーム位置、望遠端、０．８ｍ合焦時における望遠端の収差図である。
【０１０２】
実施例９のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、正の屈折力の第４レンズ群Ｌ４、正の屈折力の第５レンズ群Ｌ５、開口絞りＳＰ、正の屈折力の第６レンズ群Ｌ６の６つのレンズ群から構成されている。ズーミングに際して第１レンズ群Ｌ１と第６レンズ群Ｌ６と開口絞りＳＰは不動である。広角端から望遠端へのズーミングに際して、第２レンズ群が像側に移動し、第３レンズ群が像側に移動し、第４レンズ群は物体側に凸の軌跡で移動し、第５レンズ群は物体側に凸の軌跡で移動する。第４レンズ群及び第５レンズ群を正の屈折力とし物体側に凸の軌跡で移動させることで、ズーミング中間で第２レンズ群及び第３レンズ群の移動スペースを活用し、小型で高倍率なズームレンズとすることができる。
【０１０３】
実施例９のズームレンズは、第２レンズ群Ｌ２及び第３レンズ群Ｌ３の移動により主な変倍を行っている。ズーミングに際し、広角端に比べ望遠端において第２レンズ群Ｌ２及び第３レンズ群Ｌ３が像側に位置するように移動させることにより、第２レンズ群Ｌ２及び第３レンズ群Ｌ３に大きな変倍効果を持たせている。また、第２レンズ群と第３レンズ群の間隔は、広角端に対し望遠端で減少するように移動する。これにより広角端及び望遠端の良好な収差補正と高倍率化を実現している。また、ズーミングに際し、開口絞りＳＰ及び開口絞りＳＰより像側のレンズ群である第６レンズ群Ｌ６が不動であることで、広角端からＦ（Ｆナンバー）落ちポイントまでのズーム範囲でＦナンバーを一定に保っている。
【０１０４】
実施例９のズームレンズは、第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に不動の正の屈折力の第３サブレンズ群（最終サブレンズ群）Ｌ１ｃからなる。フォーカスを行う場合には、第１レンズ群Ｌ１のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。これによりフォーカシングによる収差変動や画角変動を抑制することができる。
【０１０５】
実施例９は変倍比（ズーム比）３２．００倍、開口比（Ｆナンバー）１．４９〜２．３５程度のズームレンズである。
【０１０６】
実施例９の第１レンズ群Ｌ１は負レンズ、負レンズ、正レンズ、正レンズ、負レンズと正レンズの接合レンズ、正レンズ、正レンズ、正レンズの９枚で構成されている。第１レンズ群は３つの部分群から構成され、物体側から順に１枚目から３枚目が第１サブレンズ群Ｌ１ａ、４枚目から６枚目が第２サブレンズ群Ｌ１ｂ、７枚目から９枚目が第３サブレンズ群Ｌ１ｃである。フォーカシングに際して第１サブレンズ群Ｌ１ａ及び第３サブレンズ群Ｌ１ｃが常時固定であり、第２サブレンズ群Ｌ１ｂが近距離合焦時に像側に移動する。第２レンズ群Ｌ２は負レンズ１枚で構成されている。第３レンズ群Ｌ３は、負レンズと正レンズの接合レンズ、負レンズの３枚で構成されている。第４レンズ群Ｌ４は正レンズ、正レンズ、負レンズの３枚で構成されている。第５レンズ群Ｌ５は負レンズと正レンズの接合レンズ、正レンズで構成されている。ズーミングに際して第２レンズ群、第３レンズ群、第４レンズ群、第５レンズ群が移動する。第６レンズ群Ｌ６は負レンズと正レンズと負レンズの接合レンズ、負レンズ、負レンズと正レンズの接合レンズ、負レンズと正レンズの接合レンズ、正レンズ、正レンズ、負レンズと正レンズの接合レンズで構成されている。
【実施例１０】
【０１０７】
図１９は実施例１０の無限遠合焦時の広角端におけるレンズ断面図である。図２０（Ａ）、（Ｂ）、（Ｃ）、（Ｄ）は実施例１０の無限遠合焦時における広角端、中間のズーム位置、望遠端、０．６ｍ合焦時における望遠端の収差図である。
【０１０８】
実施例１０のズームレンズは、物体側より像側へ順に配置された次のレンズ群より構成されている。正の屈折力の第１レンズ群Ｌ１、負の屈折力の第２レンズ群Ｌ２、負の屈折力の第３レンズ群Ｌ３、開口絞りＳＰ、正の屈折力の第４レンズ群Ｌ４の４つのレンズ群から構成されている。ズーミングに際して第４レンズ群Ｌ４と開口絞りＳＰは不動である。広角端から望遠端へのズーミングに際して、第１レンズ群が物体側に移動し、第２レンズ群が像側に移動し、第３レンズ群は物体側に凸の軌跡で移動する。第１レンズ群が変倍時に物体側へ移動することで、広角端と、望遠端におけるレンズ全長を短縮しつつも、ズーミングにおける像面特性を良好に補正している。第３レンズ群を負の屈折力とし物体側に凸の軌跡で移動させることで、ズーミング中間で第２レンズ群の移動スペースを活用し、小型なズームレンズとすることができる。
【０１０９】
実施例１０のズームレンズは、第２レンズ群Ｌ２の移動により主な変倍を行っている。ズーミングに際し、広角端に比べ望遠端において第２レンズ群Ｌ２が像側に位置するように移動させることにより、第２レンズ群Ｌ２に大きな変倍効果を持たせている。また、ズーミングに際し、開口絞りＳＰ及び開口絞りＳＰより像側のレンズ群である第４レンズ群Ｌ４が不動であることで、広角端からＦ（Ｆナンバー）落ちポイントまでのズーム範囲でＦナンバーを一定に保っている。
【０１１０】
実施例１０のズームレンズは、第１レンズ群Ｌ１は物体側から像側へ順に、合焦時に不動の負の屈折力の第１サブレンズ群Ｌ１ａ、合焦時に光軸上を移動する正の屈折力の第２サブレンズ群Ｌ１ｂ、合焦時に不動の正の屈折力の第３サブレンズ群（最終サブレンズ群）Ｌ１ｃからなる。フォーカスを行う場合には、第１レンズ群Ｌ１のうち第２サブレンズ群Ｌ１ｂを、光軸上を移動させてフォーカシングを行うインナーフォーカス式を採用している。無限遠から近距離へフォーカスを行う場合に、第２サブレンズ群Ｌ１ｂが光軸上を像側へ移動する。これによりフォーカシングによる収差変動や画角変動を抑制することができる。
【０１１１】
実施例１０は変倍比（ズーム比）１４．４７倍、開口比（Ｆナンバー）１．９０〜２．８０程度のズームレンズである。
【０１１２】
実施例１０の第１レンズ群Ｌ１は負レンズ、負レンズ、負レンズ、正レンズ、正レンズ、正レンズと負レンズの接合レンズ、負レンズと正レンズの接合レンズ、正レンズ、正レンズの１１枚で構成されている。第１レンズ群は３つの部分群から構成され、物体側から順に１枚目から４枚目が第１サブレンズ群Ｌ１ａ、５枚目が第２サブレンズ群Ｌ１ｂ、６枚目から１１枚目が第３サブレンズ群Ｌ１ｃである。フォーカシングに際して第１サブレンズ群Ｌ１ａ及び第３サブレンズ群Ｌ１ｃが常時固定であり、第２サブレンズ群Ｌ１ｂが近距離合焦時に像側に移動する。第２レンズ群Ｌ２は負レンズ、負レンズ、正レンズと負レンズの接合レンズ、正レンズの５枚で構成されている。第３レンズ群Ｌ３は負レンズと正レンズの接合レンズで構成されている。ズーミングに際して第１レンズ群、第２レンズ群、第３レンズ群が移動する。第４レンズ群Ｌ４は正レンズ、正レンズ、正レンズと負レンズの接合レンズ、正レンズ、負レンズと正レンズの接合レンズ、正レンズと負レンズの接合レンズ、正レンズで構成されている。第４レンズ群には、焦点距離を長焦点化可能なエクステンダ群を挿入するための間隔を有している。
【０１１３】
［撮像装置に係る実施形態］
次に本発明のズームレンズを撮像光学系として用いたＴＶカメラ（撮像装置）の実施形態を、図２１を用いて説明する。図２１において１０１は実施例１から１０までのいずれかのズームレンズである。１２４はカメラである。ズームレンズ１０１はカメラ１２４に対して着脱可能となっている。１２５はカメラ１２４にズームレンズ１０１を装着することで構成される撮像装置である、ズームレンズ１０１は第１レンズ群Ｆ、変倍部ＬＺ、結像用のレンズ群Ｒを有している。第１レンズ群Ｆはフォーカシングに際して移動するレンズ群が含まれている。
【０１１４】
変倍部ＬＺはズーミングに際して移動する２つ以上のレンズ群が含まれている。変倍部ＬＺより像側には開口絞りＳＰ、レンズ群Ｒ（レンズ群Ｒ１、レンズ群Ｒ２、レンズ群Ｒ３）が配置され、光路中より挿抜可能なレンズユニットＩＥを有している。レンズ群Ｒ１とレンズ群Ｒ２もしくはレンズ群Ｒ３との間にレンズユニットＩＥを挿入されることで、ズームレンズ１０１の全系の焦点距離範囲を変位している。
【０１１５】
１１４、１１５は各々第１レンズ群Ｆ、変倍部のＬＺを光軸方向に駆動するヘリコイドやカム等の駆動機構である。１１６〜１１８は駆動機構１１４、１１５及び開口絞りＳＰを電気駆動するモータ（駆動手段）である。
【０１１６】
１１９〜１２１は、第１レンズ群Ｆや変倍部ＬＺの光軸上の位置や、開口絞りＳＰの絞り径を検出するためのエンコーダやポテンショメータ、あるいはフォトセンサなどの検出器である。カメラ１２４において、１０９はカメラ１２４内の光学フィルタや色分解光学系に相当するガラスブロック、１１０はズームレンズ１０１によって形成された被写体像を受光するＣＣＤセンサやＣＭＯＳセンサなどの撮像素子（光電変換素子）である。また、１１１、１２２はカメラ１２４及びズームレンズ１０１の各種の駆動を制御するＣＰＵ（制御部）である。
【０１１７】
このように本発明のズームレンズをテレビカメラに適用することにより、高い光学性能を有する撮像装置を実現している。
【０１１８】
次に本発明の実施例１乃至１０に対応する数値実施例１乃至１０を示す。なお、広角端と望遠端は変倍用の第２レンズ群Ｌ２が機構上光軸上を移動可能な範囲の両端に位置したときのズーム位置をいう。これらは各実施例において全て同じである。各数値実施例のデータにおいてｉは物体側からの面の順序を示す。ｒｉは物体側より順に第ｉ番目のレンズ面の曲率半径、ｄｉは物体側より順に第ｉ面と第ｉ＋１面の間のレンズ厚又は空気間隔、ｎｄｉ、νｄｉ、θｇＦｉは各々物体側より順に第ｉ面と第ｉ＋１面の間のレンズの材料の屈折率、アッベ数、部分分散比である。ＢＦはバックフォーカスであり、最終レンズ面から像面までの空気換算での距離で示している。レンズ全長は第１レンズ面から最終レンズ面までの距離にバックフォーカスを加えた値である。
【０１１９】
非球面データにおける非球面形状は、次式で表される。ここで、光軸をＸ軸とし、光軸とは直交する軸をＨ軸とし、光の進行方向をＸ軸の正の方向とする。また、Ｒを近軸曲率半径とし、ｋを円錐定数とし、Ａ３、Ａ４、Ａ５、Ａ６、Ａ７、Ａ８、Ａ９、Ａ１０、Ａ１１およびＡ１２のそれぞれを非球面係数とする。
【数１】
2020012911.tif 000003
【０１２０】
各非球面形状において［ｅ−Ｘ］は［×１０−Ｘ］を意味している。焦点距離、Ｆナンバー等のスペックに加え、全系の半画角、半画角を決定する最大像高である像高を示している。また各レンズ群データは、各レンズ群の焦点距離を示している。
【０１２１】
また各光学面の間隔ｄが（可変）となっている部分は、ズーミングに際して変化するものであり、別表に焦点距離に応じた面間隔を示している。
【０１２２】
以下に記載する数値実施例データ１乃至１０のレンズデータに基づく各条件式の計算結果を表１に示す。
【０１２３】
［数値実施例１］
単位 mm
面データ
面番号i  ri        di      ndi      vdi    θgFi
1       82.406    2.5     1.7725   49.6    0.552
2       35.111   21.19
3      354.167    1.8     1.6       62     0.5581
4       48.221   17.34
5      -71.699    1.7     1.95375   32.3   0.5898
6    -2103.745    0.2
7      177.749   11.73    1.78472   25.7   0.6161
8      -76.687    0.62
9     -100.226    5.47    1.59522   67.7   0.5442
10*    -67.82     7.35
11    -130.225   11.44    1.43875   94.9   0.534
12     -43.997    1.65    1.85478   24.8   0.6122
13     -61.268    0.15
14      96.513    1.65    1.83403   37.2   0.5775
15      56.224   18.19    1.43875   94.9   0.534
16     -64.343    0.2 
17      68.97     4.45    1.43387   95.1   0.5373
18     150.53     0.2
19      46.381    6.33    1.43875   94.9   0.534
20      95.285   (可変)
21      31.068    0.8     1.95375   32.3   0.5898
22      17.041    2.2
23      35.689    0.8     1.883     40.8   0.5667
24      15.881    4.26
25    -108.872    3.88    1.80518   25.4   0.6161
26     -12.611    0.85    1.883     40.8   0.5667
27     132.699    1.77
28      29.179    2.14    1.64769   33.8   0.5884
29     235.555   (可変)
30     -23.688    0.8     1.734     51.5   0.5484
31      61.319    1.76    1.8081    22.8   0.637
32    -122.616   (可変)
33(絞り)  ∞      1.39
34    -645.344    2.71    1.67003   47.2   0.5627
35     -49.989    0.16
36     666.614    2.34    1.62041   60.3   0.5427
37    -132.432    0.16
38     171.996    6.22    1.51633   64.1   0.5353
39     -28.413    1       1.883     40.8   0.5667
40     -61.925   28
41      52.217    6.58    1.56732   42.8   0.5731
42     -52.954    2.03
43    -145.518    1       1.883     40.8   0.5667
44      23.148    7.44    1.48749   70.2   0.53
45    -104.401    0.36
46     317.592    7.53    1.497     81.5   0.5375
47     -19.722    1       1.883     40.8   0.5667
48     -60.153    0.29
49      70.582    6.01    1.497     81.5   0.5375
50     -33.753    4.16
51       ∞      33       1.60859   46.4   0.5664
52       ∞      13.2     1.51633   64.1   0.5353
53       ∞       4.95
非球面データ
第10面
K =-9.13230e-001  A 4=-1.61022e-007  A 6=-8.59771e-011  A 8= 1.62638e-014  A10=-8.06400e-018  A12=-4.86400e-020  
A 3= 1.44200e-007  A 5= 1.52600e-009  A 7= 1.69200e-012  A 9= 7.68500e-017  A11= 6.95900e-019  
各種データ
ズーム比     14.47 
広角     中間     望遠
焦点距離       4.49    13.02    65.00  
Fナンバー      1.90     1.90     2.80  
画角          50.76    22.90     4.84  
像高           5.50     5.50     5.50  
レンズ全長   317.45   317.45   317.45  
BF             4.95     4.95     4.95  
d20            0.55    27.55    45.74  
d29           39.55     9.69     7.95  
d32           14.40    17.26     0.81  
ズームレンズ群データ
群  始面    焦点距離  
1    1      30.01  
2   21     -18.67  
3   30     -43.70  
4   33      51.20  
【０１２４】
［数値実施例２］
単位 mm
面データ
面番号i  ri      di      ndi      vdi    θgFi
1     72.298    2.5    1.5941    60.5   0.5551
2     32.684   21.16        
3    217.239    1.8    1.65      65.5   0.5451
4     37.107   18.24                  
5    -64.13     1.7    1.95375   32.3   0.5898
6 -16624.943    0.2                  
7    208.416    9.19   1.78472   25.7   0.6161
8    -80.825    0.7                  
9   -101.289    4.87   1.59522   67.7   0.5442
10*  -57.936    3.88                  
11  -175.243   11.75   1.43875   94.9   0.534
12   -43.87     1.65   1.85478   24.8   0.6122
13   -54.893    0.17                  
14   124.137    1.65   1.83403   37.2   0.5775
15    57.512   22.72   1.43875   94.9   0.534
16   -53.206    0.2                  
17    88.658    3.64   1.43387   95.1   0.5373
18   177.37     0.2                  
19    39.542    6.56   1.43875   94.9   0.534
20    73.348   (可変)                  
21    34.464    0.8    1.95375   32.3   0.5898
22    13.516    3.44                  
23    96.224    0.8    1.883     40.8   0.5667
24    33.727    2.62                  
25   -78.981    3.46   1.80518   25.4   0.6161
26   -12.43     0.85   1.883     40.8   0.5667
27   174.647    1.61                  
28    34.352    2.4    1.64769   33.8   0.5884
29  -127.54     (可変)                  
30   -23.616    0.8    1.734     51.5   0.5484
31    55.197    1.86   1.8081    22.8   0.637
32  -127.729   (可変)                  
33(絞り) ∞     1.31                  
34 -1888.387    2.73   1.67003   47.2   0.5627
35   -54.601    0.16                  
36   859.7      2.01   1.62041   60.3   0.5427
37  -125.138    0.16                  
38   151.841    6.33   1.51633   64.1   0.5353
39   -29.569    1      1.883     40.8   0.5667
40   -64.18    28                  
41    57.163    6.45   1.56732   42.8   0.5731
42   -56.521    2.03                  
43  -177.736    1      1.883     40.8   0.5667
44    22.697    8.78   1.48749   70.2   0.53
45   -95.714    0.36                  
46   121.296    8.8    1.497     81.5   0.5375
47   -21.254    1      1.883     40.8   0.5667
48   -73.398    0.29                  
49    92.324    8.67   1.497     81.5   0.5375
50   -32.125    4.16                  
51      ∞     33      1.60859   46.4   0.5664
52      ∞     13.2    1.51633   64.1   0.5353
53      ∞      4.97                  
像面    ∞                        
非球面データ
第10面
K =-1.08206e+000  A 4=-1.76917e-007  A 6=-3.93439e-011  A 8= 1.96300e-014  A10=-8.06400e-018  A12=-4.86400e-020  
A 3= 1.44200e-007  A 5= 1.52600e-009  A 7= 1.69200e-012  A 9= 7.68500e-017  A11= 6.95900e-019  
各種データ
ズーム比     14.46 
広角     中間     望遠
焦点距離       4.49    12.62    65.00  
Fナンバー      1.90     1.90     2.80  
画角          50.74    23.55     4.84  
像高           5.50     5.50     5.50  
レンズ全長   320.13   320.13   320.13  
BF             4.97     4.97     4.97  
d20            0.61    27.61    46.84  
d29           39.27     9.54     6.68  
d32           14.41    17.14     0.78  
ズームレンズ群データ
群  始面    焦点距離  
1    1      29.80  
2   21     -19.22  
3   30     -43.27  
4   33      55.04  
【０１２５】
［数値実施例３］
単位 mm
面データ
面番号i  ri      di      ndi      vdi        θgFi
1      82.499    2.5    1.7725    49.6      0.552
2      34.36    22.05                  
3    8268.103    1.8    1.48116   80.2      0.5451
4      47.365   17.25                  
5     -67.144    1.7    1.95375   32.3      0.5898
6   -5299.833    0.2                  
7     184.647   11.68   1.78472   25.7      0.6161
8     -73.766    0.61                  
9    -112.95     4.49   1.59522   67.7      0.5442
10*   -69.725    6.31                  
11   -139.392   11.88   1.43875   94.9      0.534
12    -43.082    1.65   1.85478   24.8      0.6122
13    -60.506    0.14                  
14     93.651    1.65   1.83403   37.2      0.5775
15     55.134   18.47   1.43875   94.9      0.534
16    -64.585    0.2                  
17     65.604    6.07   1.43387   95.1      0.5373
18    253.492    0.2                  
19     41.521    4.91   1.43875   94.9      0.534
20     62.97    (可変)                  
21     28.093    0.8    1.95375   32.3      0.5898
22     13.62     3.5                  
23     62.666    0.8    1.883     40.8      0.5667
24     23.579    3.01                  
25   -158.173    3.81   1.80518   25.4      0.6161
26    -12.556    0.85   1.883     40.8      0.5667
27    178.779    2.8                  
28     30.531    1.98   1.64769   33.8      0.5884
29    162.946   (可変)                  
30    -23.324    0.8    1.734     51.5      0.5484
31     57.126    1.84   1.8081    22.8      0.637
32   -114.921   (可変)                  
33(絞り) ∞      1.33                  
34   -922.38     2.62   1.67003   47.2      0.5627
35    -55.466    0.16                  
36  -1696.658    2.13   1.62041   60.3      0.5427
37    -90.377    0.16                  
38    166.218    6.36   1.51633   64.1      0.5353
39    -28.453    1      1.883     40.8      0.5667
40    -58.984   28                  
41     56.175    6.47   1.56732   42.8      0.5731
42    -51.009    2.03                  
43   -112.172    1      1.883     40.8      0.5667
44     22.128    8.69   1.48749   70.2      0.53
45    -86.773    0.36                  
46    561.927    8.6    1.497     81.5      0.5375
47    -19.149    1      1.883     40.8      0.5667
48    -51.081    0.29                  
49     89.796    8.78   1.497     81.5      0.5375
50    -30.885    4.16                  
51      ∞      33      1.60859   46.4      0.5664
52      ∞      13.2    1.51633   64.1      0.5353
53      ∞       4.96                  
像面    ∞                        
非球面データ
第10面
K =-1.17228e+000  A 4=-2.17647e-007  A 6=-8.18092e-011  A 8= 1.16024e-014  A10=-8.06400e-018  A12=-4.86400e-020  
A 3= 1.44200e-007  A 5= 1.52600e-009  A 7= 1.69200e-012  A 9= 7.68500e-017  A11= 6.95900e-019  
各種データ
ズーム比     14.46 
広角     中間     望遠
焦点距離       4.50    13.78    65.00  
Fナンバー      1.90     1.90     2.80  
画角          50.74    21.76     4.84  
像高           5.50     5.50     5.50  
レンズ全長   321.69   321.69   321.69  
BF             4.96     4.96     4.96  
d20            0.64    27.64    43.75  
d29           38.43     8.85     8.99  
d32           14.39    16.97     0.72  
ズームレンズ群データ
群  始面    焦点距離  
1    1      28.85  
2   21     -18.23  
3   30     -43.85  
4   33      57.48  
【０１２６】
［数値実施例４］
単位 mm
面データ                              
面番号i  ri        di       ndi       vdi        θgFi 
1      70.339      2.5      1.61      66.6      0.5897
2      33.71      20.24                  
3     167.697      1.8      1.816     46.6      0.5568
4      39.356     18.5                  
5     -62.867      1.7      1.95375   32.3      0.5898
6    -699.551      0.2                  
7     239.408     10.45     1.78472   25.7      0.6161
8     -70.107      0.64                  
9     -95.928      3.84     1.59522   67.7      0.5442
10*   -65.395      5.16                  
11   -241.588     12.09     1.43875   94.9      0.534
12    -45.461      1.65     1.85478   24.8      0.6122
13    -58.659      0.84                  
14    131.538      1.65     1.83403   37.2      0.5775
15     59.692     21.95     1.43875   94.9      0.534
16    -55.214      0.2                  
17     81.945      3.85     1.43387   95.1      0.5373
18    165.152      0.2                  
19     41.86       6.59     1.43875   94.9      0.534
20     82.895     (可変)                  
21     36.822      0.8      1.95375   32.3      0.5898
22     14.104      3.34                  
23     93.04       0.8      1.883     40.8      0.5667
24     33.798      2.59                  
25    -92.124      3.64     1.80518   25.4      0.6161
26    -12.428      0.85     1.883     40.8      0.5667
27    182.558      1.85                  
28     34.863      2.3      1.64769   33.8      0.5884
29   -188.485      (可変)                  
30    -23.743      0.8      1.734     51.5      0.5484
31     55.933      1.85     1.8081    22.8      0.637
32   -134.659      (可変)                  
33(絞り) ∞        1.3                  
34  -4874.468      2.8      1.67003   47.2      0.5627
35    -53.366      0.16                  
36    295.494      2.45     1.62041   60.3      0.5427
37   -176.776      0.16                  
38    171.554      6.18     1.51633   64.1      0.5353
39    -30.185      1        1.883     40.8      0.5667
40    -66.14      28                  
41     54.888      6.46     1.56732   42.8      0.5731
42    -58.387      2.03                  
43   -190.825      1        1.883     40.8      0.5667
44     22.773      8.7      1.48749   70.2      0.53
45   -107.226      0.36                  
46    113.822      8.87     1.497     81.5      0.5375
47    -21.02       1        1.883     40.8      0.5667
48    -72.927      0.29                 
49     91.482      8.67     1.497     81.5      0.5375
50    -32.077      4.16                  
51      ∞        33        1.60859   46.4      0.5664
52      ∞        13.2      1.51633   64.1      0.5353
53      ∞         4.95                  
像面    ∞                        
非球面データ
第10面
K =-1.04833e+000  A 4=-1.20215e-007  A 6=-5.38123e-011  A 8= 2.28021e-014  A10=-8.06400e-018  A12=-4.86400e-020  
A 3= 1.44200e-007  A 5= 1.52600e-009  A 7= 1.69200e-012  A 9= 7.68500e-017  A11= 6.95900e-019  
各種データ
ズーム比     14.47 
広角     中間     望遠
焦点距離       4.49    12.36    65.00  
Fナンバー      1.90     1.90     2.80  
画角          50.77    23.98     4.84  
像高           5.50     5.50     5.50  
レンズ全長   322.26   322.26   322.26  
BF             4.95     4.95     4.95  
d20            0.62    27.62    47.64  
d29           39.56     9.86     6.16  
d32           14.44    17.15     0.82  
ズームレンズ群データ
群  始面    焦点距離  
1    1      30.14  
2   21     -19.52  
3   30     -42.91  
4   33      55.11  
【０１２７】
［数値実施例５］
単位 mm
面データ                              
面番号i  ri        di       ndi       vdi        θgFi
1      69.475      2.5      1.7725    49.6      0.552
2      33.196     22.53                  
3     383.131      1.8      1.65      55        0.5784
4      46.518     18.03                  
5     -61.278      1.7      1.62      64        0.5581
6   -1632.221      0.2                  
7     170.134     10.15     1.6398    34.5      0.5922
8     -91.834      0.65                 
9    -117.331      4.74     1.59522   67.7      0.5442
10*   -68.469      5.09                  
11  -2154.454     11.13     1.43875   94.9      0.534
12    -63.404      1.65     1.90366   31.3      0.5946
13    -68.577      2.59                 
14    133.305      1.65     2.001     29.1      0.5997
15     61.517     19.5      1.43875   94.9      0.534
16    -60.184      0.2                  
17     59.235      3.89     1.43387   95.1      0.5373
18     98.298      0.2                 
19     39.66       5.82     1.43875   94.9      0.534
20     69.236      (可変)                  
21     39.423      0.8      1.95375   32.3      0.5898
22     18.904      (可変)                  
23     30.17       0.8      1.883     40.8      0.5667
24     13.285      5.75                  
25    -34.483      3.33     1.8081    22.8      0.637
26    -15.137      0.85     1.883     40.8      0.5667
27    364.489     -0.25                  
28     32.683      2.99     1.64769   33.8      0.5884
29    -46.401      (可変)                  
30    -24.128      0.8      1.734     51.5      0.5484
31     55.406      1.79     1.8081    22.8      0.637
32   -136.524      (可変)                  
33(絞り) ∞        1.28                  
34  -2573.742      2.8      1.67003   47.2      0.5627
35    -49.764      0.16                  
36    245.391      2.11     1.62041   60.3      0.5427
37   -299.292      0.16                  
38    150.335      6.06     1.51633   64.1      0.5353
39    -30.02       1        1.883     40.8      0.5667
40    -66.021     28                  
41     49.868      6.31     1.56732   42.8      0.5731
42    -63.723      2.03                  
43   -384.6        1        1.883     40.8      0.5667
44     20.866      8.22     1.48749   70.2      0.53
45   -121.266      0.36                 
46    277.2        4.95     1.497     81.5      0.5375
47    -19.882      1        1.883     40.8      0.5667
48    -62.644      0.29                  
49     79.921      8.86     1.497     81.5      0.5375
50    -30.756      4.16                  
51      ∞        33        1.60859   46.4      0.5664
52      ∞        13.2      1.51633   64.1      0.5353
53      ∞         4.97                  
像面    ∞                        
非球面データ
第10面
K =-1.06487e+000  A 4=-5.74176e-008  A 6=-1.41818e-010  A 8= 7.31155e-014  A10=-8.06400e-018  A12=-4.86400e-020  
A 3= 1.44200e-007  A 5= 1.52600e-009  A 7= 1.69200e-012  A 9= 7.68500e-017  A11= 6.95900e-019  
各種データ
ズーム比     14.47 
広角     中間     望遠
焦点距離       4.49    12.58    65.00  
Fナンバー      1.90     1.90     2.80  
画角          50.76    23.62     4.84  
像高           5.50     5.50     5.50  
レンズ全長   316.09   316.09   316.09  
BF             4.97     4.97     4.97  
d20            0.48    27.68    47.38  
d22            1.65     1.45     1.30  
d29           39.16     9.22     5.81  
d32           13.97    16.91     0.76  
ズームレンズ群データ
群  始面    焦点距離  
1    1      30.83  
2   21     -38.82  
3   23     -35.60  
4   30     -43.68  
5   33      52.25  
【０１２８】
［数値実施例６］
単位 mm
面データ                              
面番号i  ri        di       ndi        vdi       θgFi
1      69.679      2.5      1.7725     49.6      0.552
2      33.182     22.59                  
3     398.884      1.8      1.62       64        0.5581
4      45.488     18.06                  
5     -61.57       1.7      1.65       55        0.5784
6   -1703.311      0.2                  
7     173.125     10.05     1.6398     34.5      0.5922
8     -91.05       0.59                  
9    -117.139      4.75     1.59522    67.7      0.5442
10*   -67.842      4.88                  
11  -1952.68      10.94     1.43875    94.9      0.534
12    -64.688      1.65     1.90366    31.3      0.5946
13    -68.741      2.58                  
14    132.708      1.65     2.001      29.1      0.5997
15     61.552     19.74     1.43875    94.9      0.534
16    -59.605      0.2                  
17     59.509      3.84     1.43387    95.1      0.5373
18     99.194      0.2                  
19     39.562      5.82     1.43875    94.9      0.534
20     68.479      (可変)                  
21     39.939      0.8      1.95375    32.3      0.5898
22     19.201      1.33                  
23     29.851      0.8      1.883      40.8      0.5667
24     13.283      (可変)                  
25    -36.378      2.79     1.8081     22.8      0.637
26    -15.364      0.85     1.883      40.8      0.5667
27    269.034     -0.27                  
28     31.248      3.86     1.64769    33.8      0.5884
29    -49.947      (可変)                  
30    -24.251      0.8      1.734      51.5      0.5484
31     48.41       1.81     1.8081     22.8      0.637
32   -166.637      (可変)                  
33(絞り)  ∞       1.35                  
34  -1292.268      2.72     1.67003    47.2      0.5627
35    -51.439      0.16                  
36    319.414      1.86     1.62041    60.3      0.5427
37   -204.71       0.16                  
38    129.607      6.09     1.51633    64.1      0.5353
39    -30.536      1        1.883      40.8      0.5667
40    -66.734     28                  
41     50.184      6.26     1.56732    42.8      0.5731
42    -64.056      2.03                  
43   -366.276      1        1.883      40.8      0.5667
44     20.96       6.95     1.48749    70.2      0.53
45   -125.781      0.36                  
46    254.951      4.98     1.497      81.5      0.5375
47    -19.762      1        1.883      40.8      0.5667
48    -61.821      0.29                  
49     80.291      8.88     1.497      81.5      0.5375
50    -30.664      4.16                  
51      ∞        33        1.60859    46.4      0.5664
52      ∞        13.2      1.51633    64.1      0.5353
53      ∞         4.97                  
像面    ∞                        
非球面データ
第10面
K =-9.70096e-001  A 4=-1.78386e-008  A 6=-1.38943e-010  A 8= 7.02405e-014  A10=-8.06400e-018  A12=-4.86400e-020  
A 3= 1.44200e-007  A 5= 1.52600e-009  A 7= 1.69200e-012  A 9= 7.68500e-017  A11= 6.95900e-019  
各種データ
ズーム比     14.46 
広角     中間     望遠
焦点距離       4.49    12.56    65.00  
Fナンバー      1.90     1.90     2.80  
画角          50.74    23.64     4.84  
像高           5.50     5.50     5.50  
レンズ全長   314.35   314.35   314.35  
BF             4.97     4.97     4.97  
d20            0.52    27.58    47.19  
d24            5.73     5.86     5.96  
d29           39.14     9.23     5.43  
d32           14.02    16.72     0.82  
ズームレンズ群データ
群  始面    焦点距離  
1    1      30.73  
2   21     -15.89  
3   25     218.80  
4   30     -42.27  
5   33      50.94  
【０１２９】
［数値実施例７］
単位 mm
面データ                              
面番号i ri         di       ndi       vdi       θgFi
1    1393.075      3.2      1.7725    49.6      0.552
2      64.961     23.37                  
3    -185.603      2.7      1.48107   80        0.5491
4     342.873      0.19                  
5     103.302      6.2      1.92286   20.9      0.6282
6     174.073      4.69                  
7     283.76      13.44     1.60311   60.6      0.5415
8*   -130.894      0.19                  
9    1018.057      9.48     1.497     81.5      0.5375
10   -117.312      2.5      1.8       29.8      0.617
11   -888.28      11.4                  
12    156.369      2.5      1.738     32.3      0.5899
13     57.423     18.56     1.497     81.5      0.5375
14   -203.72       0.2                  
15     76.551     10.9      1.53775   74.7      0.5392
16  -1600.77       0.2                  
17    103.61       5.84     1.76385   48.5      0.5587
18    312.199      (可変)                  
19*    61.821      1.2      1.883     40.8      0.5667
20     17.619      5.58                  
21   -108.819      3.98     1.84666   23.8      0.6198
22    -23.79       0.7      1.7725    49.6      0.552
23   -104.343      2.24                  
24    -25.043      0.7      1.72916   54.7      0.5444
25    149.048      0.16                  
26     52.478      3.97     1.65412   39.7      0.5737
27    -74.712      (可変)                  
28    -33.563      0.9      1.6516    58.5      0.5425
29    118.11       2.32     1.8081    22.8      0.637
30   -429.292      (可変)                  
31(絞り)  ∞       1.29                  
32    873.73       4.44     1.755     52.3      0.5475
33    -59.354      0.2                  
34     66.289      5.11     1.618     63.3      0.5441
35   -205.049      0.2                  
36     60.805      5.36     1.497     81.5      0.5375
37   -163.751      1.2      2.001     29.1      0.5997
38    205.794      0.2                  
39     40.982     10.68     1.51633   64.1      0.5353
40    -52.808      1.1      1.7725    49.6      0.552
41     76.694     20.29                  
42     40.913      5.11     1.48749   70.2      0.53
43    -48.216      0.2                  
44     25.592      5.57     1.48749   70.2      0.53
45    -41.357      1        2.00069   25.5      0.6133
46     22.831      2.83                  
47    674.962      7.07     1.8081    22.8      0.637
48    -14.602      1        1.883     40.8      0.5667
49   1119.205      6                  
50     33.313      4.75     1.48749   70.2      0.53
51   -962.957     37.79                  
像面     ∞                        
非球面データ
第8面
K = 1.37427e+000  A 4= 2.03315e-007  A 6= 7.81593e-013  A 8=-3.64353e-014  A10= 6.96153e-017  A12=-6.51269e-020  A14= 2.94208e-023  A16=-5.16095e-027  
第19面
K = 3.39569e+000  A 4= 1.78510e-006  A 6=-1.45592e-008  A 8= 7.74769e-011  A10=-5.56554e-013  A12= 2.52398e-015  A14=-6.78830e-018  A16= 8.32703e-021  
各種データ
ズーム比      8.00 
広角     中間     望遠
焦点距離      20.00    70.00   160.00  
Fナンバー      2.79     2.79     3.59  
画角          37.87    12.52     5.55  
像高          15.55    15.55    15.55  
レンズ全長   310.08   310.08   310.08  
BF            37.79    37.79    37.79  
d18            0.68    33.23    44.34  
d27           41.32     5.84     6.14  
d30            9.40    12.33     0.93  
ズームレンズ群データ
群  始面    焦点距離  
1    1      52.10  
2   19     -21.50  
3   28     -62.00  
4   31      34.56  
【０１３０】
［数値実施例８］
単位 mm
面データ                              
面番号i  ri         di       ndi       vdi       θgFi
1     2165.673      4.7      1.7725    49.6      0.552
2      158.219     36.35                  
3     -312.199      4.5      1.55      56.8      0.5581
4      534.879      0.15                  
5      307.958      9.28     1.71736   29.5      0.5985
6      787.319     10                  
7    -1619.186     14        1.497     81.5      0.5375
8     -254.291      0.2                  
9     3542.539      4.4      1.80518   25.4      0.61
10     309.658     15        1.497     81.5      0.5375
11    -564.751     43.18                  
12     499.717     17.08     1.497     81.5      0.5375
13    -277.071      0.15                  
14     433.388     12.43     1.43875   94.9      0.534
15    -658.639      0.15                  
16     329.715      8.64     1.59522   67.7      0.5442
17    1546.906      (可変)                  
18*    557.32       1.5      1.7725    49.6      0.552
19      87.579      5.64                  
20     294.422      1.5      1.72916   54.7      0.5444
21      34.832     10.46     1.84666   23.8      0.625
22      96.973      6.11                  
23    -172.038      1.5      1.7725    49.6      0.552
24      86.173      (可変)                  
25     648.219      6.25     1.62041   60.3      0.5427
26    -149.541      0.15                  
27     124.119     11.11     1.48749   70.2      0.53
28     -83.769      0.09                  
29     -89.892      1.6      1.80518   25.4      0.6161
30    -238.597      (可変)                  
31      85.859      1.6      1.80518   25.4      0.6161
32      56.727      9.3      1.48749   70.2      0.53
33     372.381      0.15                  
34*     89.487      7.65     1.62041   60.3      0.5427
35    -557.289      (可変)                  
36(絞り)  ∞        2.98                  
37     -68.395      1.4      1.788     47.4      0.5559
38      23.177      7.31     1.85478   24.8      0.6122
39     -51.895      1.4      1.788     47.4      0.5559
40      74.641      5.93                  
41     -40.959     19.74     1.7725    49.6      0.552
42     104.155      8.4                  
43    -228.581      1.5      1.53775   74.7      0.5392
44      95.747      8.29     1.64      60.1      0.537
45     -40.078      0.2                  
46     450.134      1.5      2.001     29.1      0.5997
47      43.856      7.73     1.51633   64.1      0.5353
48    -141.039      0.2                  
49      82.549      7        1.497     81.5      0.5375
50     -77.885      0.2                  
51      45.975      8.95     1.43875   94.9      0.534
52     -67.784      1                  
53    -105.642      1.5      2.00069   25.5      0.6133
54      85.576      5        1.85896   22.7      0.6284
55    -136.297      8                  
56      ∞         33        1.61E+00  46.4      0.5664
57      ∞         13.2      1.51633   64.2      0.5352
58      ∞         10.00                  
像面    ∞                        
非球面データ
第18面
K = 0.00000e+000  A 4= 2.66275e-007  A 6= 1.16139e-010  A 8=-6.58888e-014  A10=-4.28173e-017  A12= 1.06894e-020  
第34面
K = 0.00000e+000  A 4=-3.12379e-008  A 6=-8.29131e-010  A 8= 1.77347e-012  A10=-1.73507e-015  A12= 6.22006e-019  
各種データ
ズーム比     30.00 
広角     中間     望遠
焦点距離       6.50    35.00   195.00  
Fナンバー      1.49     1.50     2.20  
画角          40.24     8.93     1.62  
像高           5.50     5.50     5.50  
レンズ全長   625.00   625.00   625.00  
BF            10.00    10.00    10.00  
d17            3.00    94.38   217.60  
d24          211.92    56.10     6.15  
d30            9.83    42.89     1.00  
d35            1.00    32.38     1.00  
ズームレンズ群データ
群  始面    焦点距離  
1    1     181.44  
2   18     -38.98  
3   25     108.58  
4   31      97.16  
5   36      30.15  
【０１３１】
［数値実施例９］
単位 mm
面データ
面番号i  ri      di      ndi       vdi      θgFi
1    1108.609    4.7     1.7725    49.6      0.552
2     180.566   36.35                  
3    -290.377    4.5     1.55      56.8      0.5581
4     316.732    0.15                  
5     274.011    9.28    1.71736   29.5      0.5985
6     592.672    9.33                  
7   -2624.035   14       1.497     81.5      0.5375
8    -258.689    0.2                  
9    2928.996    4.4     1.80518   25.4      0.61
10    308.117   15       1.497     81.5      0.5375
11   -565.489   42.16                   
12    473.488   17.08    1.497     81.5      0.5375
13   -296.176    0.15                  
14    328.8     12.43    1.43875   94.9      0.534
15   -924.096    0.15                  
16    310.978    8.64    1.59522   67.7      0.5442
17   1546.906   (可変)                  
18*   557.32     1.5     1.7725    49.6      0.552
19     44.753   (可変)                  
20    200.951    1.5     1.72916   54.7      0.5444
21     36.419   10.46    1.84666   23.8      0.625
22    150.211    6.11                  
23    -88.791    1.5     1.7725    49.6      0.552
24  -5588.22    (可変)                  
25   5406.3      6.25    1.62041   60.3      0.5427
26   -128.657    0.15                  
27    155.385   11.11    1.48749   70.2      0.53
28    -76.102    0.09                  
29    -81.121    1.6     1.80518   25.4      0.6161
30   -191.018   (可変)                  
31    134.313    1.6     1.80518   25.4      0.6161
32     70.723    9.3     1.48749   70.2      0.53
33   -576.656    0.15                  
34*    90.119    7.65    1.62041   60.3      0.5427
35   -557.289   (可変)                  
36(絞り) ∞      2.98                  
37   -110.163    1.4     1.788     47.4      0.5559
38     17.712    7.31    1.85478   24.8      0.6122
39    222.698    1.4     1.788     47.4      0.5559
40    108.54     5.93                  
41    -32.406   19.74    1.7725    49.6      0.552
42    110.04     8.4                  
43    -63.052    1.5     1.53775   74.7      0.5392
44  51005.999    6.8     1.64      60.1      0.537
45    -35.174    3                  
46    262.676    1.5     2.001     29.1      0.5997
47     43.269    8.21    1.51633   64.1      0.5353
48   -110.818    0.2                  
49     97.578    7       1.497     81.5      0.5375
50    -70.108    0.2                  
51     47.461    9.23    1.43875   94.9      0.534
52    -62.8      1                  
53   -124.668    1.5     2.00069   25.5      0.6133
54     76.247    5       1.85896   22.7      0.6284
55   -168.604    8                  
56      ∞      33       1.60859   46.4      0.5664
57      ∞      13.2     1.51633   64.2      0.5352
58      ∞      10.0               
像面    ∞                        
非球面データ
第18面
K = 0.00000e+000  A 4= 5.98074e-007  A 6=-2.72683e-010  A 8= 2.48726e-013  A10=-1.96454e-016  A12= 3.48792e-020  
第34面
K = 0.00000e+000  A 4=-5.07951e-008  A 6=-2.60772e-010  A 8= 6.60695e-013  A10=-6.97143e-016  A12= 2.61525e-019  
各種データ
ズーム比     32.00 
広角     中間     望遠
焦点距離       6.50    35.00   208.00  
Fナンバー      1.49     1.50     2.35  
画角          40.24     8.93     1.51  
像高           5.50     5.50     5.50  
レンズ全長   625.00   625.00   625.00  
BF            10.00    10.00    10.00  
d17            3.00    89.95   211.00  
d19           12.47    11.13     9.27  
d24          210.92    52.56     3.00  
d30            1.00    43.40     6.74  
d35            3.62    33.98     1.00  
ズームレンズ群データ
群  始面    焦点距離  
1    1     180.48  
2   18     -63.07  
3   20    -149.65  
4   25     114.80  
5   31      98.16  
6   36      31.20  
【０１３２】
［数値実施例１０］
単位 mm
面データ                              
面番号i  ri        di       ndi       vdi        θgFi
1      76.719      2.5      1.7725    49.6      0.552
2      34.781     21.07                  
3     378.999      1.8      1.64      66.1      0.5581
4      47.327     17.18                  
5     -70.099      1.7      1.95375   32.3      0.5898
6   -1502.986      0.2                  
7     178.297     11.7      1.78472   25.7      0.6161
8     -74.714      0.64                  
9    -109.628      4.11     1.59522   67.7      0.5442
10*   -71.931      7.34                  
11   -132.783     11.62     1.43875   94.9      0.534
12    -42.931      1.65     1.85478   24.8      0.6122
13    -60.115      0.17                  
14     99.052      1.65     1.83403   37.2      0.5775
15     56.359     19.29     1.43875   94.9      0.534
16    -62.936      0.2                  
17     67.397      6.21     1.43387   95.1      0.5373
18    310.675      0.2                  
19     42.676      4.78     1.43875   94.9      0.534
20     64.238      (可変)                  
21     31.384      0.8      1.95375   32.3      0.5898
22     14.079      3.33                  
23     62.474      0.8      1.883     40.8      0.5667
24     24.767      2.92                  
25   -154.448      3.88     1.80518   25.4      0.6161
26    -12.509      0.85     1.883     40.8      0.5667
27    199.481      2.33                  
28     30.819      2.04     1.64769   33.8      0.5884
29    209.954      (可変)                  
30    -23.301      0.8      1.734     51.5      0.5484
31     59.27       1.81     1.8081    22.8      0.637
32   -118.45      (可変)                  
33(絞り)  ∞       1.38                  
34   -708.166      2.61     1.67003   47.2      0.5627
35    -54.555      0.16                  
36    776.089      2.07     1.62041   60.3      0.5427
37   -114.524      0.16                  
38    147.475      6.3      1.51633   64.1      0.5353
39    -29.183      1        1.883     40.8      0.5667
40    -60.118     28                  
41     53.511      6.1      1.56732   42.8      0.5731
42    -65.935      2.03                  
43   -632.734      1        1.883     40.8      0.5667
44     19.697     10.9      1.48749   70.2      0.53
45    -24.118      0.36                  
46    -26.173      4.55     1.497     81.5      0.5375
47    -17.642      1        1.883     40.8      0.5667
48    -45.667      0.29                  
49     60.374      9.1      1.497     81.5      0.5375
50    -30.966      4.16                  
51      ∞        33        1.60859   46.4      0.5664
52      ∞        13.2      1.51633   64.1      0.5353
53      ∞         4.96                  
像面    ∞                        
非球面データ
第10面
K =-9.61855e-001  A 4=-1.31875e-007  A 6=-8.08856e-011  A 8= 1.02233e-014  A10=-8.06400e-018  A12=-4.86400e-020  
A 3= 1.44200e-007  A 5= 1.52600e-009  A 7= 1.69200e-012  A 9= 7.68500e-017  A11= 6.95900e-019  
各種データ
ズーム比     14.47 
広角     中間     望遠
焦点距離       4.49    12.90    65.00  
Fナンバー      1.90     1.90     2.80  
画角          50.76    23.09     4.84  
像高           5.50     5.50     5.50  
レンズ全長   319.66   320.24   320.63  
BF             4.96     4.96     4.96  
d20            0.66    27.71    45.99  
d29           38.70     9.58     7.91  
d32           14.37    17.03     0.81  
ズームレンズ群データ
群  始面    焦点距離  
1    1      29.79  
2   21     -18.79  
3   30     -43.28  
4   33      56.01  
【０１３３】
【表１】
2020012911.tif 000004
【符号の説明】
【０１３４】
Ｌ１：第１レンズ群
Ｌ２：第２レンズ群
Ｌ３：第３レンズ群
Ｌ４：第４レンズ群
Ｌ５：第５レンズ群
Ｌ６：第６レンズ群
【図１】
2020012911.tif 000005
【図２】
2020012911.tif 000006
【図３】
2020012911.tif 000007
【図４】
2020012911.tif 000008
【図５】
2020012911.tif 000009
【図６】
2020012911.tif 000010
【図７】
2020012911.tif 000011
【図８】
2020012911.tif 000012
【図９】
2020012911.tif 000013
【図１０】
2020012911.tif 000014
【図１１】
2020012911.tif 000015
【図１２】
2020012911.tif 000016
【図１３】
2020012911.tif 000017
【図１４】
2020012911.tif 000018
【図１５】
2020012911.tif 000019
【図１６】
2020012911.tif 000020
【図１７】
2020012911.tif 000021
【図１８】
2020012911.tif 000022
【図１９】
2020012911.tif 000023
【図２０】
2020012911.tif 000024
【図２１】
2020012911.tif 000025
【図２２】
2020012911.tif 000026